(57)【特許請求の範囲】
【請求項１】
無線通信システムにおけるデータ送信を無線機器により行う方法であって、
二つ以上のセルを含む仮想セルグループで共有される仮想セルＩＤ（ｉｄｅｎｎｔｉｆｉｃａｔｉｏｎ）でスクランブルされたディスカバリー信号を受信するステップと、
前記仮想セルグループからＰＲＡＣＨ（Ｐｈｙｓｉｃａｌ  Ｒａｎｄｏｍ  Ａｃｃｅｓｓ  Ｃｈａｎｎｅｌ）のための設定を受信するステップと、
前記ディスカバリー信号に関する測定を実行した結果に基づいてセルを選択するステップと、
前記仮想セルＩＤと前記設定を使用して、前記選択したセルにランダムアクセスチャネル（ＲＡＣＨ）過程を行うステップとを含み、
前記ディスカバリー信号を受信するステップは、
第１番目のマスターセルから第１番目のサブフレームにおいて第１番目の仮想セルＩＤでスクランブルされた第１番目のディスカバリー信号を受信するステップと、
第２番目のマスターセルから第２番目のサブフレームにおいて第２番目の仮想セルＩＤでスクランブルされた第２番目のディスカバリー信号を受信するステップとを含む、方法。
【請求項２】
前記セルを選択するステップは、
同一仮想セルＩＤでスクランブルされた前記ディスカバリー信号の二集合のＲＳＲＰ（Ｒｅｆｅｒｅｎｃｅ  Ｓｉｇｎａｌ  Ｒｅｃｅｉｖｅｄ  Ｐｏｗｅｒ）またはＲＳＲＱ（Ｒｅｆｅｒｅｎｃｅ  Ｓｉｇｎａｌ  Ｒｅｃｅｉｖｅｄ  Ｑｕａｌｉｔｙ）を測定することにより、無線資源モニタリング測定を行うステップを含み、
前記測定は、
前記無線機器の移動性に基づいて互いに異なる無線フレームの集合で設定される、請求項１に記載の方法。
【請求項３】
前記ＲＡＣＨ過程を行うステップは、
前記選択されたセルの仮想セルＩＤでスクランブルされたＰＲＡＣＨプリアンブルシーケンスを送信するステップと、
前記選択されたセルの仮想セルＩＤでスクランブルされた参照信号（ＲＳ：Ｒｅｆｅｒｅｎｃｅ  Ｓｉｇｎａｌ）をデコードすることにより、前記ＰＲＡＣＨプリアンブルシーケンスに対する応答を受信するステップとを含み、
前記参照信号は、セル−特定参照信号（ＣＲＳ：Ｃｅｌｌ−ｓｐｅｃｉｆｉｃ  Ｒｅｆｅｒｅｎｃｅ  Ｓｉｇｎａｌ）を含み、
前記セル−特定参照信号は、前記仮想セルＩＤにより設定される、請求項１に記載の方法。
【請求項４】
無線フレーム（ｒａｄｉｏ  ｆｒａｍｅ）の中心にある６ＰＲＢ（Ｐｈｙｓｉｃａｌ  Ｒｅｓｏｕｒｃｅ  Ｂｌｏｃｋ）のサブフレーム＃０において第１番目の仮想セルＩＤでスクランブルされた第１番目のセル−特定参照信号（ＣＲＳ）及び前記無線フレームの中心にある６ＰＲＢのサブフレーム＃１において第２番目の仮想セルＩＤでスクランブルされた第２番目のセル−特定参照信号（ＣＲＳ）を受信するステップをさらに含む、請求項３に記載の方法。
【請求項５】
無線通信システムにおけるデータ送信を行う無線機器であって、
無線信号を送受信するＲＦ部と、
前記ＲＦ部に接続されて動作するプロセッサとを備え、
前記プロセッサは、
仮想セルグループで共有された仮想セルＩＤ（ｉｄｅｎｔｉｆｉｃａｔｉｏｎ）でスクランブルされたディスカバリー信号を受信し、
前記仮想セルグループからＰＲＡＣＨ（Ｐｈｙｓｉｃａｌ  Ｒａｎｄｏｍ  Ａｃｃｅｓｓ  Ｃｈａｎｎｅｌ）のための設定を受信し、
前記ディスカバリー信号に関する測定を実行した結果に基づいてセルを選択し、
前記仮想セルＩＤと前記設定を使用してランダムアクセスチャネル（ＲＡＣＨ）過程を前記選択したセルに行うように構成され、
前記プロセッサは、
第１番目のマスターセルから第１番目のサブフレームにおいて第１番目の仮想セルＩＤでスクランブルされた第１番目のディスカバリー信号を受信し、
第２番目のマスターセルから第２番目のサブフレームにおいて第２番目の仮想セルＩＤでスクランブルされた第２番目のディスカバリー信号を受信するように構成された、無線機器。
【請求項６】
前記プロセッサは、
同一仮想セルＩＤでスクランブルされた前記ディスカバリー信号の二集合のＲＳＲＰ（Ｒｅｆｅｒｅｎｃｅ  Ｓｉｇｎａｌ  Ｒｅｃｅｉｖｅｄ  Ｐｏｗｅｒ）またはＲＳＲＱ（Ｒｅｆｅｒｅｎｃｅ  Ｓｉｇｎａｌ  Ｒｅｃｅｉｖｅｄ  Ｑｕａｌｉｔｙ）を測定することにより、無線資源モニタリング測定を行うように設定され、
前記測定は、
前記無線機器の移動性に基づいて、互いに異なる無線フレームの集合で設定される、請求項５に記載の無線機器。
【請求項７】
前記プロセッサは、
前記選択されたセルの仮想セルＩＤでスクランブルされたＰＲＡＣＨプリアンブルシーケンスを送信し、
前記選択されたセルの仮想セルＩＤでスクランブルされた参照信号（ＲＳ：Ｒｅｆｅｒｅｎｃｅ  Ｓｉｇｎａｌ）をデコードすることにより、前記ＰＲＡＣＨプリアンブルシーケンスに対する応答を受信するように構成され、
前記参照信号は、セル−特定参照信号（ＣＲＳ：Ｃｅｌｌ−ｓｐｅｃｉｆｉｃ  Ｒｅｆｅｒｅｎｃｅ  Ｓｉｇｎａｌ）を含み、
前記セル−特定参照信号は、前記仮想セルＩＤにより設定される、請求項５に記載の無線機器。
【請求項８】
前記プロセッサは、
無線フレーム（ｒａｄｉｏ  ｆｒａｍｅ）の中心にある６ＰＲＢ（Ｐｈｙｓｉｃａｌ  Ｒｅｓｏｕｒｃｅ  Ｂｌｏｃｋ）のサブフレーム＃０において第１番目の仮想セルＩＤでスクランブリングされた第１番目のセル−特定参照信号（ＣＲＳ）及び前記無線フレームの中心にある６ＰＲＢのサブフレーム＃１において第２番目の仮想セルＩＤでスクランブリングされた第２番目のセル−特定参照信号（ＣＲＳ）を受信するように構成された、請求項７に記載の無線機器。
【発明の詳細な説明】
【技術分野】
【０００１】
本発明は、無線通信に関し、具体的には単一周波数または多重周波数に対する多重キャリアからなる無線通信システムでのデータ送信を行う方法及び装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）  ｌｏｎｇ  ｔｅｒｍ  ｅｖｏｌｕｔｉｏｎ）は、３ＧＰＰリリース（ｒｅｌｅａｓｅ）８として紹介されている。３ＧＰＰ  ＬＴＥは、ダウンリンクにおいてＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクにおいてＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近では、３ＧＰＰ  ＬＴＥの進化であるＧＰＰ  ＬＴＥ−Ａ（ＬＴＥ−Ａｄｖａｎｃｅｄ）に対する議論が進行中である。
【０００３】
最近では、３ＧＰＰ  ＬＴＥ（Ａ）システムの商業化が加速しつつある。ＬＴＥシステムは、移動性を保障しながら、高品質及び高容量を支援できるサービスに対するユーザの要求に応答して、ますます速く普及しつつある。ＬＴＥシステムは、低−送信遅延、高−送信レート及びシステム容量と改善されたカバレッジを提供する。
【０００４】
サービスのユーザ要求に伴って容量を増加させるために、帯域幅を増加させることが必須でありえ、このような効果を得るための目的として論理的に広い帯域を使用するために、複数の物理的非連続的な帯域を周波数領域でグループ化するキャリア集成（ＣＡ：Ｃａｒｒｉｅｒ  Ａｇｇｒｅｇａｔｉｏｎ）技術が効果的に断片に分けられた小さな帯域を使用するために開発されてきた。
【０００５】
複数のＣＣを介して広帯域（ｂｒｏａｄｂａｎｄ）でデータが送信及び／または受信されるシステムは、多重−要素（ｍｕｌｔｉ−ｃｏｍｐｏｎｅｎｔ）キャリアシステム（ｍｕｌｔｉ−ＣＣ  ｓｙｓｔｅｍ）またはＣＡ環境と呼ぶことができる。前記多重−要素キャリアシステムは、一つ以上のキャリアを使用することによって、狭帯域と広帯域ともを行うことができる。例えば、各々のキャリアが２０ＭＨｚの帯域幅に該当するとき、５個のキャリアを使用することにより、最大１００ＭＨｚの帯域幅を支援することができる。
【０００６】
前記ｍｕｌｔｉ−ＣＣ  ｓｙｓｔｅｍを動作させるために、基地局（ＢＳ（Ｂａｓｅ  Ｓｔａｔｉｏｎ）またはｅＮＢ（ｅｎｈａｎｃｅｄ  Ｎｏｄｅ  Ｂ））及びＵＥ（Ｕｓｅｒ  Ｅｑｕｉｐｍｅｎｔまたは端末）間に多様な制御信号が必要となりうる。
【０００７】
また、多重ＣＣのための効果的なセルプラニング（ｐｌａｎｎｉｎｇ）が必要となりうる。また、インターセル干渉減少及びキャリア拡張のために、多様な信号または効果的なセルプラニング方式が基地局及び端末間に必要となりうる。
【０００８】
さらに、ＵＥのために多重ＣＣ集成が多重基地局／ノードに対してなされながら、基地局間に厳格なコーディネーション（ｔｉｇｈｔ  ｃｏｏｒｄｉｎａｔｉｏｎ）によるインターノード資源割り当てが可能になりうる。
【０００９】
スモールセルクラスター環境においてＵＥを制限（または除去）するための制御のために必需的に送信される新しいキャリアを含む前記セルプラニングのための効果的な動作方式に対する定義が必要となりうる。さらに、このような方式は、ＵＥ移動性の側面においてセルカバレッジをハンドリングするために定義が必要となりうる。
【発明の概要】
【００１０】
本発明は、無線通信システムにおけるデータ送信を行う方法及び装置を提供する。
【００１１】
また、本発明は、二つ以上のサービングセルを設定する方法及び装置を提供するが、前記二つ以上のサービングセルは、無線通信システムにおいて同じ仮想セルＩＤ（ｉｄｅｎｔｉｆｉｃａｔｉｏｎ）を有しえる。
【００１２】
また、本発明は、無線通信システムにおいて移動性に基づいて同じＩＤを有する二つ以上のサービングセルを含む特定セル集合を設定する方法及び装置を提供する。
【００１３】
一側面において、無線通信システムにおける無線機器によるデータ送信を行う方法が提供される。前記方法は、仮想セルグループを含む設定を受信するものの、前記仮想セルグループの各々は、同じ仮想セルＩＤ（ｉｄｅｎｔｉｆｉｃａｔｉｏｎ）を共有する二つ以上のサービングセルを含むステップと、前記同じ仮想セルＩＤでスクランブリングされたディスカバリー信号及びＰＲＡＣＨ（Ｐｈｙｓｉｃａｌ  Ｒａｎｄｏｍ  Ａｃｃｅｓｓ  Ｃｈａｎｎｅｌ）設定を含むシステム情報を前記仮想セルグループの各々のマスターセルから受信するステップと、前記ディスカバリー信号及び前記システム情報に基づいてセルを選択するステップと、前記選択されたセルに対する仮想セルＩＤを使用してＲＡＣＨ過程及びデータ送信を行うステップとを含みうる。
【００１４】
前記設定は、ディスカバリー信号に対する同じ仮想セルＩＤ及び前記同じ仮想セルＩＤを共有する仮想セルグループ内のサービングセルの物理的セルＩＤ間の少なくとも二つ以上の集合関係を含みうる。
【００１５】
前記設定は、前記仮想セルグループのサブフレーム集合、前記仮想セルグループの各々の多重サブフレーム集合及び前記仮想セルグループの各々内の前記サービングセルから送信される前記ディスカバリー信号の集合のうち、少なくとも一つを含みうる。
【００１６】
さらに他の側面において、無線通信システムにおいてデータ送信を行うＵＥ（Ｕｓｅｒ  Ｅｑｕｉｐｍｅｎｔ）が提供される。前記ＵＥは、無線信号を送受信するＲＦ部と、前記ＲＦ部に接続して動作するプロセッサとを備えるものの、前記プロセッサは、仮想セルグループを含む設定を受信するものの、前記仮想セルグループの各々は、同じ仮想セルＩＤ（ｉｄｅｎｔｉｆｉｃａｔｉｏｎ）を共有する二つ以上のサービングセルを含み、前記同じ仮想セルＩＤでスクランブリングされたディスカバリー信号及びＰＲＡＣＨ（Ｐｈｙｓｉｃａｌ  Ｒａｎｄｏｍ  Ａｃｃｅｓｓ  Ｃｈａｎｎｅｌ）設定を含むシステム情報を前記仮想セルグループの各々のマスターセルから受信し、前記ディスカバリー信号及び前記システム情報に基づいてセルを選択し、前記選択されたセルに対する仮想セルＩＤを使用してＲＡＣＨ過程及びデータ送信を行いうる。
【発明の効果】
【００１７】
本明細書の開示によれば、広帯域キャリアにおいて変化するセルによる動的カバレッジ、周波数ホッピング及びセル管理のためのＵＥ移動性が支援される利点がある。
【図面の簡単な説明】
【００１８】
【図１】本発明が適用されることができる無線通信システムを示す。
【図２】本発明が適用されることができる無線フレーム（ｒａｄｉｏ  ｆｒａｍｅ）の構造を示す。
【図３】本発明が適用されることができるダウンリンク制御チャネルを示す。
【図４】本発明の一実施の形態として無定形ＲＡＮの例示を示す。
【図５】本発明が適用されることができるセルスイッチング（または変更）のためのフローチャートの例示を示す。
【図６】本発明が適用されることができるさらに他の無定形ＲＡＮの例示を示す。
【図７】本発明の一実施の形態にかかるＡ−ＲＡＮ  ＩＤを使用した初期過程を示す。
【図８】本発明の一実施の形態にかかるＡ−ＲＡＮ  ＩＤを使用した初期過程を示す。
【図９】本発明が適用されることができるオン状態のＡ−ＲＡＮでの初期接続過程の例示を示す。
【図１０】本発明の一実施の形態にかかる周波数ホッピングを示す。
【図１１】本発明の一実施の形態にかかるＵＥに透明な（ＵＥ−ｔｒａｎｓｐａｒｅｎｔ）周波数ホッピングを示す。
【図１２】本発明の一実施の形態にかかる多重周波数環境でのＡ−ＲＡＮを示す。
【図１３】本発明の一実施の形態にかかる多重周波数において仮想セルＩＤを介した無定形ＲＡＮの一例を示す。
【図１４】本発明の一実施の形態にかかる拡張循環プレフィックス（ｅｘｔｅｎｄｅｄ  ｃｙｃｌｉｃ  ｐｒｅｆｉｘ）でのディスカバリー信号のマッピングを示す。
【図１５】本発明の一実施の形態にかかるシグナリング順序を示す。
【図１６】本発明が適用されることができるレガシーＵＥ及び非レガシーＵＥが共存する場合の例示を示す。
【図１７】本発明が適用されることができるビットマップを有したキャリアに対するハンドリングの例示を示す。
【図１８】本発明が適用されることができる新しいＲＳパターンの例示を示す。
【図１９】本発明が適用されることができる物理的セル及び仮想的セル設定の例示を示す。
【図２０】本発明が適用されることができる多重仮想セル上でのＰＤＣＣＨ／ＰＤＳＣＨを送信する例示を示す。
【図２１】本発明が適用されることができる多重仮想セル上でのＰＤＣＣＨ／ＰＤＳＣＨを送信する例示を示す。
【図２２】本発明が適用されることができる互いに異なるカバレッジを有する多重仮想セルの例示を示す。
【図２３】本発明の一実施の形態にかかる無線通信システムのブロック図を示す。
【発明を実施するための形態】
【００１９】
図１は、本発明が適用される無線通信システムを示す。これは、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムと呼ばれうる。
【００２０】
Ｅ−ＵＴＲＡＮは、端末１０（Ｕｓｅｒ  Ｅｑｕｉｐｍｅｎｔ、ＵＥ）に制御平面（ｃｏｎｔｒｏｌ  ｐｌａｎｅ）とユーザ平面（ｕｓｅｒ  ｐｌａｎｅ）を提供する基地局２０（Ｂａｓｅ  Ｓｔａｔｉｏｎ、ＢＳ）とを備える。端末１０は、固定されるか、または移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語として呼ぶことができる。基地局２０は、端末１０と通信する固定された地点（ｆｉｘｅｄ  ｓｔａｔｉｏｎ）のことを意味し、ｅＮＢ（ｅｖｏｌｖｅｄ−Ｎｏｄｅ  Ｂ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語として呼ばれうる。
【００２１】
本明細書の開示された技術に適用される前記無線通信システムにおける多重−アクセス方式（Ｍｕｌｔｉ−ａｃｃｅｓｓ  ｓｃｈｅｍｅｓ）は多様に存在し、特定方式に制限されない。多様な多重−アクセス方式を使用することができる。例えば、前記多様な多重−アクセス方式は、ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ−ＦＤＭＡ）、ＯＦＤＭ−ＦＤＭＡ、ＯＦＤＭ−ＴＤＭＡ、ＯＦＤＭ−ＣＤＭＡなどにすることができる。アップリンクないしダウンリンク送信において、送信において互いに異なる時間を使用するＴＤＤ（Ｔｉｍｅ  Ｄｉｖｉｓｉｏｎ  Ｄｕｐｌｅｘ）方式または送信において、互いに異なる周波数を使用するＦＤＤ（Ｆｒｅｑｕｅｎｃｙ  Ｄｉｖｉｓｉｏｎ  Ｄｕｐｌｅｘ）方式が使用されうる。
【００２２】
基地局２０は、Ｘ２インタフェースを介して互いに接続されうる。基地局２０は、Ｓ１インタフェースを介してＥＰＣ（Ｅｖｏｌｖｅｄ  Ｐａｃｋｅｔ  Ｃｏｒｅ）３０、さらに詳細には、Ｓ１−ＭＭＥを介してＭＭＥ（Ｍｏｂｉｌｉｔｙ  Ｍａｎａｇｅｍｅｎｔ  Ｅｎｔｉｔｙ）とＳ１−Ｕとを介してＳ−ＧＷ（Ｓｅｒｖｉｎｇ  Ｇａｔｅｗａｙ）に接続される。
【００２３】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）から構成される。ＭＭＥは、端末の接続情報や端末の能力に関する情報を有しており、このような情報は、端末の移動性管理に主に使用される。Ｓ−ＧＷは、Ｅ−ＵＴＲＡＮを終端点として有するゲートウェイであり、Ｐ−ＧＷは、ＰＤＮを終端点として有するゲートウェイである。
【００２４】
端末とネットワークとの間の無線インタフェースプロトコル（Ｒａｄｉｏ  Ｉｎｔｅｒｆａｃｅ  Ｐｒｏｔｏｃｏｌ）の階層は、通信システムにおいて広く知られた開放型システム間相互接続（Ｏｐｅｎ  Ｓｙｓｔｅｍ  Ｉｎｔｅｒｃｏｎｎｅｃｔｉｏｎ：ＯＳＩ）基準モデルの下位３個の階層に基づいて、Ｌ１（第１階層）、Ｌ２（第２階層）、Ｌ３（第３階層）に区分されうるが、このうち、第１階層に属する物理階層は、物理チャネル（Ｐｈｙｓｉｃａｌ  Ｃｈａｎｎｅｌ）を利用した情報送信サービス（Ｉｎｆｏｒｍａｔｉｏｎ  Ｔｒａｎｓｆｅｒ  Ｓｅｒｖｉｃｅ）を提供し、第３階層に位置するＲＲＣ（Ｒａｄｉｏ  Ｒｅｓｏｕｒｃｅ  Ｃｏｎｔｒｏｌ）階層は、端末とネットワークとの間に無線資源を制御する役割を行う。このために、ＲＲＣ階層は、端末と基地局との間のＲＲＣメッセージを交換する。
【００２５】
ＵＥ（Ｕｓｅｒ  Ｅｑｕｉｐｍｅｎｔ）は、ＵＥ容量に応じて一つ以上のキャリア（Ｃａｒｒｉｅｒ  １  ｏｒ  ｍｏｒｅ  Ｃａｒｒｉｅｒｓ  ２．．．Ｎ）を支援できる。ユーザのスループット（ｔｈｒｏｕｇｈｐｕｔ）を改善させるために、ＵＥが一つ以上のキャリアグループで設定可能な場合、一つ以上の基地局（ｅＮＢ）／ノード（ｎｏｄｅ）に対してインターノード資源集成を許諾することが考慮されうる。特に非活性化されない各々のキャリアグループ別にＰＣｅｌｌが設定されうる。言い換えれば、各々のキャリアグループ別にＰＣｅｌｌは、一つのＵＥが設定された以後にすべての時間の間に活性化された自身の状態を維持できる。この場合、マスターセルであるサービングセルインデックス０を含まないキャリアグループ内のＰＣｅｌｌに該当するサービングセルインデックスｉは、活性化／非活性化に使用されることができない。さらに具体的に、サービングセルインデックス０、１、２が何れか一つのキャリアグループとして設定され、サービングセルインデックス３、４、５がさらに他の何れか一つのキャリアグループとして設定されるものの、サービングセルインデックス０が第１番目のキャリアグループのＰＣｅｌｌで、サービングセルインデックス３が第２番目のキャリアグループのＰＣｅｌｌである二つのキャリアグループシナリオにおいて、ただ１及び２に該当するビット（ｂｉｔｓ）だけが前記第１番目のキャリアグループセルの活性化／非活性化に有効であると仮定され、ただ４及び５に該当するビット（ｂｉｔｓ）だけが前記第２番目のキャリアグループセルの活性化／非活性化に有効であると仮定される。以下、前記第１番目のキャリアグループ及び前記第２番目のキャリアグループに対するＰＣｅｌｌ間の差別化のために、前記第２番目のキャリアグループに対する前記ＰＣｅｌｌは、Ｓ−ＰＣｅｌｌと呼ぶことにする。ここで、前記サービングセルのインデックスは、各々のＵＥに対して相対的に決定される論理的なインデックスでありえ、または特定周波数帯域のセルを指示する物理的インデックスでありうる。前記ＣＡ（キャリア集成）システムは、セルフキャリアスケジューリング（ｓｅｌｆ−ｃａｒｒｉｅｒ  ｓｃｈｅｄｕｌｉｎｇ）の非交差（ｎｏｎ−ｃｒｏｓｓ  ｃａｒｒｉｅｒ）スケジューリングまたはクロスキャリア（ｃｒｏｓｓ  ｃａｒｒｉｅｒ）スケジューリングを支援できる。
【００２６】
図２は、本発明が適用されることができる無線フレーム（ｒａｄｉｏ  ｆｒａｍｅ）の構造を示す。
【００２７】
図２に示すように、無線フレームは、１０個のサブフレームを含み、一つのサブフレームは、２個のスロット（ｓｌｏｔ）を含む。無線フレーム内のスロットは、０から１９までスロット番号が付けられる。一つのサブフレームが送信されるのにかかる時間を送信時間区間（Ｔｒａｎｓｍｉｓｓｉｏｎ  Ｔｉｍｅ  ｉｎｔｅｒｖａｌ：ＴＴＩ）という。ＴＴＩは、データ送信のためのスケジューリング単位といえる。例えば、一つの無線フレームの長さは１０ｍｓで、一つのサブフレームの長さは１ｍｓで、一つのスロットの長さは０．５ｍｓでありうる。
【００２８】
一つのスロットは、時間領域（ｔｉｍｅ  ｄｏｍａｉｎ）において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域において複数の副搬送波を含む。ＯＦＤＭシンボルは、３ＧＰＰ  ＬＴＥがダウンリンクでＯＦＤＭＡを使用するので、一つのシンボル区間（ｓｙｍｂｏｌ  ｐｅｒｉｏｄ）を表現するためのもので、多重接続方式によって他の名称で呼ばれうる。例えば、アップリンク多重接続方式でＳＣ−ＦＤＭＡが使用される場合、ＳＣ−ＦＤＭＡシンボルということができる。資源ブロック（ＲＢ；ｒｅｓｏｕｒｃｅ  ｂｌｏｃｋ）は、資源割り当て単位であって、一つのスロットにおいて複数の連続する副搬送波を含む。前記無線フレームの構造は、一例に過ぎない。したがって、無線フレームに含まれるサブフレームの個数やサブフレームに含まれるスロットの個数、またはスロットに含まれるＯＦＤＭシンボルの個数は多様に変更されうる。
【００２９】
３ＧＰＰ  ＬＴＥは、ノーマル（ｎｏｒｍａｌ）サイクリックプレフィクス（ＣＰ；ｃｙｃｌｉｃ  ｐｒｅｆｉｘ）において一つのスロットは、７個のＯＦＤＭシンボルを含み、拡張（ｅｘｔｅｎｄｅｄ）ＣＰにおいて一つのスロットは、６個のＯＦＤＭシンボルを含むと定義している。速いペースでＵＥが移動してチャネル状態（ｃｈａｎｎｅｌ  ｓｔａｔｕｓ）が不安定な場合、前記拡張ＣＰがインターシンボル干渉を減少させるために設定されうる。ここで、無線フレームの構造は例示に過ぎず、無線フレームに含まれるサブフレームの数またはサブフレームに含まれるスロットの数は、新しい通信システムが適用されることにつれて多様に変更されうる。本発明は、特定特徴を変化させることにより、他のシステムに適用されることにも適用され、本発明の実施の形態は、該当システムに多様な方式により適用されうる。
【００３０】
ダウンリンクスロットは、時間領域において複数のＯＦＤＭシンボルを含む。例えば、一つのダウンリンクスロットは、７個のＯＦＤＭシンボルを含み、一つの資源ブロックは、周波数領域において１２個の副搬送波を含むが、本発明はこれに限定されない。資源グリッド上の各々の要素を資源要素（ＲＥ：Ｒｅｓｏｕｒｃｅ  Ｅｌｅｍｅｎｔ）という。一つの資源ブロックは、１２×７（または６）ＲＥを含む。一つのダウンリンクスロットに含まれたＮDL個の資源ブロックは、セルに設定されたダウンリンク送信帯域幅に依存する。ＬＴＥにおいて考慮される帯域幅は１．４ＭＨｚ、３ＭＨｚ、５ＭＨｚ、１０ＭＨｚ、１５ＭＨｚ及び２０ＭＨｚである。前記帯域幅を資源ブロックの数字で表現すれば、それぞれ６、１５、２５、５０、７５、及び１００になる。
【００３１】
サブフレーム内の第１番目のスロットの前の０、１、２または３個のＯＦＤＭシンボルは、制御チャネルが割り当てられる制御領域に対応し、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｃｅｌ）に割り当てられるデータ領域になる。例示的なダウンリンク制御チャネルは、ａ  Ｐｈｙｓｉｃａｌ  Ｃｏｎｔｒｏｌ  Ｆｏｒｍａｔ  Ｉｎｄｉｃａｔｏｒ  Ｃｈａｎｎｅｌ（ＰＣＦＩＣＨ）、ａ  Ｐｈｙｓｉｃａｌ  Ｄｏｗｎｌｉｎｋ  Ｃｏｎｔｒｏｌ  Ｃｈａｎｎｅｌ（ＰＤＣＣＨ）及びａ  Ｐｈｙｓｉｃａｌ  Ｈｙｂｒｉｄ−ＡＲＱ  Ｉｎｄｉｃａｔｏｒ  Ｃｈａｎｎｅｌ（ＰＨＩＣＨ）を含む。
【００３２】
サブフレームの第１番目のＯＦＤＭシンボルにおいて送信されるＰＣＦＩＣＨは、サブフレーム内で制御チャネルの送信に使用されるＯＦＤＭシンボルの数（すなわち、制御領域の大きさ）に関するＣＦＩ（ｃｏｎｔｒｏｌ  ｆｏｒｍａｔ  ｉｎｄｉｃａｔｏｒ）を運ぶ。無線機器は、まずＰＣＦＩＣＨ上にＣＦＩを受信した後、ＰＤＣＣＨをモニターリングする。
【００３３】
ＰＤＣＣＨとは異なり、ＰＣＦＩＣＨはブラインド復号を使用しないで、サブフレームの固定されたＰＣＦＩＣＨ資源を介して送信される。
【００３４】
ＰＨＩＣＨは、ＵＬ  ＨＡＲＱ（ｈｙｂｒｉｄ  ａｕｔｏｍａｔｉｃ  ｒｅｐｅａｔ  ｒｅｑｕｅｓｔ）のためのＡＣＫ（ｐｏｓｉｔｉｖｅ−ａｃｋｎｏｗｌｅｄｇｅｍｅｎｔ）／ＮＡＣＫ（ｎｅｇａｔｉｖｅ−ａｃｋｎｏｗｌｅｄｇｅｍｅｎｔ）信号を運ぶ。無線機器により送信されるＰＵＳＣＨ上のＵＬ（ｕｐｌｉｎｋ）データに対するＡＣＫ／ＮＡＣＫ信号はＰＨＩＣＨ上に送信される。
【００３５】
ＰＤＣＣＨ（またはｅＰＤＣＣＨ）は、ＤＬ−ＳＣＨ（ｄｏｗｎｌｉｎｋ−ｓｈａｒｅｄ  ｃｈａｎｎｅｌ）の資源割り当て及び送信フォーマット、ＵＬ−ＳＣＨ（ｕｐｌｉｎｋ  ｓｈａｒｅｄ  ｃｈａｎｎｅｌ）の資源割り当て情報、ＰＣＨ上のページング情報、ＤＬ−ＳＣＨ上のシステム情報、ＰＤＳＣＨ上に送信されるランダムアクセス応答のような上位階層制御メッセージの資源割り当て、任意のＵＥグループ内の個別ＵＥに対する送信パワー制御命令の集合及びＶｏＩＰ（ｖｏｉｃｅ  ｏｖｅｒ  ｉｎｔｅｒｎｅｔ  ｐｒｏｔｏｃｏｌ）の活性化などを運ぶことができる。複数のＰＤＣＣＨが制御領域内で送信されることができ、ＵＥは、複数のＰＤＣＣＨをモニターリングできる。ＰＤＣＣＨは、一つまたはいくつかの連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）上に送信される。ＣＣＥは、無線チャネルの状態に応じる符号化率をＰＤＣＣＨに提供するために使用される論理的割り当て単位である。ＣＣＥは、複数の資源要素グループ（ｒｅｓｏｕｒｃｅ  ｅｌｅｍｅｎｔ  ｇｒｏｕｐ）に対応する。ＣＣＥの数とＣＣＥにより提供される符号化率の関連関係に応じて、ＰＤＣＣＨのフォーマット及び可能なＰＤＣＣＨのビット数が決定される。
【００３６】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ：ＤＣＩ）という。ＤＣＩは、ＰＤＳＣＨの資源割り当て（これをＤＬグラント（ｄｏｗｎｌｉｎｋ  ｇｒａｎｔ）ともいう）、ＰＵＳＣＨの資源割り当て（これをＵＬグラント（ｕｐｌｉｎｋ  ｇｒａｎｔ）ともいう）、任意のＵＥグループ内の個別ＵＥに対する送信パワー制御命令の集合及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。
【００３７】
基地局は、ＵＥに送信しようとするＤＣＩに応じてＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣには、ＰＤＣＣＨの所有者（ｏｗｎｅｒ）や用途に応じて固有な識別子（ｒａｄｉｏ  ｎｅｔｗｏｒｋ  ｔｅｍｐｏｒａｒｙ  ｉｄｅｎｔｉｆｉｅｒ：ＲＮＴＩ）がマスキングされる。特定ＵＥのためのＰＤＣＣＨであれば、ＵＥの固有識別子、例えばＣ−ＲＮＴＩ（ｃｅｌｌ−ＲＮＴＩ）がＣＲＣにマスキングされることができる。または、ページングメッセージのためのＰＤＣＣＨであれば、ページング指示識別子、例えばＰ−ＲＮＴＩ（ｐａｇｉｎｇ−ＲＮＴＩ）がＣＲＣにマスキングされることができる。システム情報ブロック（ｓｙｓｔｅｍ  ｉｎｆｏｒｍａｔｉｏｎ  ｂｌｏｃｋ：ＳＩＢ）のためのＰＤＣＣＨであれば、システム情報識別子、ＳＩ−ＲＮＴＩ（ｓｙｓｔｅｍ  ｉｎｆｏｒｍａｔｉｏｎ−ＲＮＴＩ）がＣＲＣにマスキングされることができる。ＵＥのランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされうる。
【００３８】
３ＧＰＰ  ＬＴＥでは、ＰＤＣＣＨの検出のために、ブラインド復号を使用する。ブラインド復号は、受信されるＰＤＣＣＨ（これを候補（ｃａｎｄｉｄａｔｅ）ＰＤＣＣＨという）のＣＲＣ（Ｃｙｃｌｉｃ  Ｒｅｄｕｎｄａｎｃｙ  Ｃｈｅｃｋ）に望みの識別子をデマスキングし、ＣＲＣエラーをチェックして該当ＰＤＣＣＨが自身の制御チャネルであるかどうかを確認する方式である。基地局は、無線機器に送信しようとするＤＣＩに応じてＰＤＣＣＨフォーマットを決定した後、ＤＣＩにＣＲＣを付け、ＰＤＣＣＨの所有者（ｏｗｎｅｒ）や用途に応じて固有の識別子（ＲＮＴＩ）をＣＲＣにマスキングする。
【００３９】
一方、アップリンクサブフレームは、周波数領域においてアップリンク情報を運ぶＰＵＣＣＨ（ｐｈｙｓｉｃａｌ  ｕｐｌｉｎｋ  ｃｏｎｔｒｏｌ  ｃｈａｎｎｅｌ）が割り当てられた制御領域と、前記制御情報は、ダウンリンク送信に対するＡＣＫ／ＮＡＣＫ応答を含み、ユーザデータを運ぶＰＵＳＣＨ（ｐｈｙｓｉｃａｌ  ｕｐｌｉｎｋ  ｓｈａｒｅｄ  ｃｈａｎｎｅｌ）が割り当てられたデータ領域に分けられる。
【００４０】
前記ＰＵＣＣＨは、多様なフォーマットを支援する。すなわち、前記ＰＵＣＣＨは、変調方式に応じてサブフレーム当たりの互いに異なる数字のビット（ｂｉｔｓ）を有したアップリンク制御情報を送信できる。
【００４１】
ＰＵＣＣＨフォーマット１は、ＳＲ（ｓｃｈｅｄｕｌｉｎｇ  ｒｅｑｕｅｓｔ）を送信するのに使用され、ＰＵＣＣＨフォーマット１ａ及び１ｂは、ＨＡＲＱＡＣＫ／ＮＡＣＫ信号を送信するのに使用される。ＰＵＣＣＨフォーマット２は、ＣＱＩを送信し、ＰＵＣＣＨフォーマット２ａ及び２ｂは、ＣＱＩ及びＨＡＲＱＡＣＫ／ＮＡＣＫを送信する。
【００４２】
ＨＡＲＱＡＣＫ／ＮＡＣＫが単独で送信されるとき、ＰＵＣＣＨフォーマット１ａ及び１ｂが使用され、ＳＲこの単独で送信されるとき、ＰＵＣＣＨフォーマット１が使用される。そして、ＰＵＣＣＨフォーマット３は、ＴＤＤシステム、そしてまたＦＤＤシステムのために使用されうる。
【００４３】
ここで、ｅＰＤＣＣＨ（ｅｎｈａｎｃｅｄ  ＰＤＣＣＨ）は、ＰＤＣＣＨ送信制限または図３に示すように、新しい類型のキャリアを含む近い未来の通信システムの新しい制御情報送信のための解決策になることができる。前記ＰＤＳＣＨと多重化（ｍｕｌｔｉｐｌｅｘｅｄ）されることのできる前記ｅＰＤＣＣＨは、前記ＣＡの多重Ｓｃｅｌｌを支援できる。
【００４４】
図３に示すように、ＵＥは、前記制御領域及び／またはデータ領域内の複数のＰＤＣＣＨ／ｅＰＤＣＣＨをモニターリングできる。ＣＣＥ上においてＰＤＣＣＨが送信されるにつれて、ｅＰＤＣＣＨは、多数の連続的なＣＣＥの集合であるｅＣＣＥ（ｅｎｈａｎｃｅｄ  ＣＣＥ）上において送信されうる。前記ｅＣＣＥは、複数のＲＥＧに対応する。
【００４５】
ｅＰＤＣＣＨがＰＤＣＣＨよりさらに効率的であれば、ＰＤＣＣＨ無しでただｅＰＤＣＣＨが使用されるサブフレームが有用でありうる。前記ＰＤＣＣＨ及び新しいｅＰＤＣＣＨを有するサブフレーム、またはｅＰＤＣＣＨだけを有するサブフレームは、レガシー（ｌｅｇａｃｙ）ＬＴＥサブフレームを全部有するＮＣ（Ｎｅｗ  Ｃａｒｒｉｅｒ）であって、新しい類型のキャリアになることができる。
【００４６】
ＭＢＳＦＮサブフレームは、新しいキャリアＮＣ内に存在すると依然として仮定することができる。ＮＣ内のＭＢＳＦＮサブフレームでのＰＤＣＣＨの使用の有無及びどれくらい多くのＯＦＤＭシンボルが割り当てられて使用されなければならないかは、ＲＲＣシグナリングを介して設定されうる。また、新しいキャリア類型のために、ＴＭ１０及び新しいＴＭモードが考慮されうる。
【００４７】
以下、新しいキャリア類型は、レガシー信号の全てまたは一部が省略されるか、または他の方式で送信されることのできるキャリアを示す。例えば、新しいキャリアはいかなるサブフレーム内でＣＲＳが省略されることができるか、またはＰＢＣＨが送信されないキャリアでありうる。
【００４８】
このような次世代ＬＴＥシステムまたは拡張された通信システムのために、提案される実施の形態は、複数のセルの間の干渉問題の改善、キャリア拡張性の改善及び改善された特徴を提供するにおける自由度を増加させるための理由により提案されたバックワードコンパーティブルレガシー（ｂａｃｋｗａｒｄ  ｃｏｍｐａｔｉｂｌｅ  ｌｅｇａｃｙ）信号及び／またはチャネルが送信されない新しいキャリアが導入されることを提供する。
【００４９】
提案された発明は、例えば、新しいキャリアセルに対して主に述べるが、本発明は、新しいキャリアセルに限定されるものではない。また、本発明は一般的な損失無しでレガシーキャリアに適用されうる。
【００５０】
さらに具体的には、本発明は、トラッキング（ｔｒａｃｋｉｎｇ）及びＲＲＭ測定のために使用されるセル−特定ＲＳが全く送信されないか、またはレガシーキャリアと異なるサブフレームのサブセットにおいてのみ送信される場合を考慮する。
【００５１】
便宜上、本発明は、ＣＲＳまたはトラッキングＲＳが５ｍｓｅｃごとに、例えば、各々の無線フレーム内でサブフレーム＃０及び＃５において、送信されることを例示的に示す。さらに具体的には、新しいキャリアは、基地局（ｅＮＢ）がアタッチされた活性化されないＵＥまたはパターンに基づいて送信を中止（ｔｕｒｎｓ  ｏｆｆ）する場合に、セルに対するオン／オフを行うキャリアを表すことができる。このような場合、本発明は、ＰＳＳ／ＳＳＳ／ＣＲＳまたはＣＳＩ−ＲＳに基づいたディスカバリー信号が毎Ｔｍｓｅｃごとに送信される例を示す。前記Ｔは、予め決定された値でありうる。例えば、Ｔは、２００または２００より大きな値でありうる。
【００５２】
さらに具体的には、セル範囲がＵＥ移動性に基づいて動的に変化する無定形ＲＡＮ（ａｍｏｒｐｈｏｕｓ  ＲＡＮ）コンセプト及び２０ＭＨｚより大きな処理容量無しでより広いシステム帯域幅（＞２０Ｍｈｚ）を可能にするセルの周波数ホッピングメカニズムが提案される。
【００５３】
提案される実施の形態は、マクロ／スモールセルキャリア集成（ＣＡ：ｃａｒｒｉｅｒ−ａｇｇｒｅｇａｔｉｏｎ）、インターサイトＣＡまたは密集されたスモールセル配置を仮定したスモールセルクラスターに属したスモールセルに接続したＵＥを考慮する。
【００５４】
このようなシナリオにおいて、チャネルの効率性のために多重スモールセルが互いに競争することによって、セル間の干渉調整（ｉｎｔｅｒｆｅｒｅｎｃｅ  ｃｏｏｒｄｉｎａｔｉｏｎ）が必須でありうる。
【００５５】
図４は、本発明の一実施の形態として無定形ＲＡＮの例示を示す。
【００５６】
図４に示すように、無定形ＲＡＮに対する一つの同期は、境界が活性化されたＵＥの存在に依存して、動的に変わるセルを作ることにある。
【００５７】
ＵＥ１がセル１のカバレッジ領域からセル２のカバレッジ領域へ移動する場合が仮定される。現在のメカニズムを使用すると、ＵＥ１がセル２カバレッジへ移動するとき、ＲＲＣ再設定またはハードハンドオーバ（ｈａｒｄ  ｈａｎｄ−ｏｖｅｒ）により、ＵＥ１は、セル２にハンドオーバするようになる。しかしながら、スモールセルシナリオにおいて、このようなことは、いろいろな理由で効率的でない場合がありうる。
【００５８】
第１番目に、スモールセル内のＵＥの数字は、あまり大きくないことがある。その数字は、［１０、２０］の範囲でありえ、これに対しハンドオーバ発生の数字は、スモールセルカバレッジが制限されるだけ無視できない程度でありうる。したがって、一つのクラスター内でスモールセル間の変更は、非常に効率的に行われなければならない。そうでなければ、ＵＥは、スモールセル間の周波数ハンドオーバ遂行のために、非常に大きなオーバーヘッド／費用を支払わなければならない場合もありうる。
【００５９】
第２番目に、移動性の予測が可能な多くのシナリオが存在する。例えば、高速道路またはビジー（ｂｕｓｙ）な道路内のスモールセルクラスター、ユーザ移動性パターンは、無定形ＲＡＮに重なるように制限され、このような場合、無定形ＲＡＮは、動的に変化するよりは予め決定することができ、これが有用でありうる。
【００６０】
例示において、無定形ＲＡＮのコンセプトは、ＵＥ１のためにセル１及びセル２が組合わせられたセルカバレッジ４２０がサービングセルになり、ＵＥ２のために、セル２及びセル４が組合わせられたカバレッジ４２１がサービングセルになるということである。
【００６１】
ハンドオーバの必要性を除去し、セルを変更する動的なカバレッジは、新しい重要な利得を持ってくる。
【００６２】
セルの組合わせられたカバレッジは、ＲＲＭ測定オーバーヘッドを減少させる。すべてのセルが仮想セルで形成されるから、インター周波数ＲＲＭより、ＵＥは同じ無定形ＲＡＮに属したスモールセルのために、少なくともイントラ周波数ＲＲＭ測定を行う必要がない場合がありうる。電力低減の側面において、ＵＥにはこの点が重要である。そして、これは減少したＵＥインタラプションタイム（ｉｎｔｅｒｒｕｐｔｉｏｎ  ｔｉｍｅ）を支援する。
【００６３】
他の利点は、ハンドオーバによるインタラプションタイムが減少または除去されることができるという点である。これは、ＵＥが活性化状態で大量のデータを受信／送信しなければならない場合に特に重要でありうる。したがって、ハンドオーバによるインタラプションタイムは、スループットを深刻に劣化させることができる。また、これは減少したピンポン効果（ｐｉｎｇ−ｐｏｎｇ  ｅｆｆｅｃｔ）を支援する。クラスター内でハンドオーバを除去することにより、スモールセル間のあまりにも速く起きるハンドオーバまたは周波数ハンドオーバは除去されるか、または減少されうる。
【００６４】
ＲＲＭのオーバーヘッドを減少させることは、ＵＥの電力消費及びプロセスオーバーヘッドの観点で極めて重要な問題でありうる。１０個程度のスモールセルが存在する典型的なスモールセルクラスタシナリオを考慮するとき、ＵＥは密集するように配置されているすべてのスモールセル（例えば、１０個のスモールセル）を発見ないし探索しなければならない。このような場合、ＳＮＩＲに基づいたセル選択は、スモールセルが干渉がよく制御される良いＳＮＲ範囲内にあったかの様に効果的でないことがある。
【００６５】
このような典型的なシナリオにおいて、ＵＥは、１０個のスモールセル上においてＲＲＭを報告しなければならない。制限された測定を仮定すると、ＵＥは、１０個のハンドオーバがただ短い時間に起きることがある互いに異なる設定内での互いに異なるスモールセルをモニターリングしなければならない。結局、前記報告の有用性を比較するとき、前記ＲＲＭ測定は、ＵＥに大きな負担でありうる。このようなＲＲＭオーバーヘッドを減らすために、一つの接近方式は、ＵＥが周辺セルに対してＲＲＭを行わないように、周辺セル上においてＲＲＭ測定を設定しないことである。しかしながら、このような接近方式は、カバレッジホール（ｃｏｖｅｒａｇｅ  ｈｏｌｅ）問題を引き起こしうる。
【００６６】
さらに他の接近方式は、スモールセルクラスターにおいてＣｏＭＰシナリオを適用することである。このような接近方式は、現在ＣｏＭＰ集合が３個のセルまで許すことに対し、多くの数のスモールセルから構成することができるＣｏＭＰ集合としてＵＥに大きな負担を追加する。仮に、小さな数のスモールセルがＣｏＭＰ集合を形成する場合、それはＵＥ移動性に基づいてセル境界を動的に変更できなくなりうる。さらに、このような接近方式は、基地局側において電力低減を支援できないことがある。
【００６７】
さらに他の接近方式は、セルのカバレッジが活性化されたＵＥに依存して動的に変更される無定形ＲＡＮを利用することである。
【００６８】
いかなる活性化されたＵＥを有しないセル２は、ドーマント（ｄｏｒｍａｎｔ）及びオフ状態を繰り返すことができると仮定する。セルのオフ状態は、前記セルが非活性化されたセルと同じＤＴＸ（ｄｉｓｃｏｎｔｉｎｕｏｕｓｔ  ｒａｎｓｍｉｓｓｉｏｎ）セルのように、いかなる参照信号及び制御信号を送信しないことを含む。さらに詳細には、セル２は、ただドーマントの間にＰＳＳ及び／またはＳＳＳのような同期チャネルまたはディスカバリー信号及び／またはＣＲＳ／ＴＲＳのような参照信号だけを送信する。
【００６９】
例えば、２００ｍｓｅｃドーマント周期及び８００ｍｓｅｃオフ周期から構成されたサイクルによって、セル２は、２００ｍｓｅｃの間に同期信号及び参照信号を繰り返し的に送信し、８００ｍｓｅｃの間に送信を完全に中断し、前記過程を１秒ごとに繰り返すことができる。ＳＲＳに基づいたＵＥ測定またはＵＥ４５１、４６１からのＲＲＭ測定により、セル２はあるＵＥがそれのセルカバレッジ４５２、４６２内に接近しているか、または進入したかに対する情報を獲得でき、前記例示は、前記サービングセルがＵＥの近接度（ｐｒｏｘｉｍｉｔｙ）を指示することを示す。非活性化セルにおいて、セルは、前記セルに接近する活性化ＵＥを感知する。これは、図５に開示される次のような過程を含むセル活性化の初期化を始めるようにする。
【００７０】
図５は、本発明が適用されることができるセルスイッチング（または変更）のためのフローチャートの例示を示す。
【００７１】
図５に示すように、セル２が、ＵＥ１が接近してハンドオーバ５１０として潜在的なスイッチに対する準備が必要でありうると認知するとき、セル２は、まず活性化されたＵＥのサービングセルＩＤであるセル１と同じセルＩＤにそれのセルＩＤを変更する（５１５）。前記活性化されたＵＥは、それの近接性が感知された場合、ドーマントにある周辺セルを目を覚ます要求を送信できる。一度セルＩＤが変更された以後（５１７）、それは、前記サービングセルを含む周辺セル及び状態移動（ｓｔａｔｕｓ  ｔｒａｎｓｆｅｒ）を含む必要なコーディネーション（ｃｏｏｒｄｉｎａｔｉｏｎ）が完遂したことを知らせる（５２０）。そして、セル２は、前記状態移動をＳＩＢメッセージでＵＥ１に送信できる（５２５）。
【００７２】
これが完了した以後、ＵＥがそれのサービングセルを変更する場合、セル２または現在サービングセルは、ｅＰＤＣＣＨ集合の設定を含む必要なＲＲＣ再設定を行って新しい設定がセル２に使用されることができるようにする。選択的に、ＰＲＡＣＨは、アップリンク同期化を行うために送信されることができ（５２７、５３０）、前記セル２は、ＰＤＣＣＨオーダー（ｏｒｄｅｒ）をＵＥから前記ＰＲＡＣＨを受信するために設定する。前記変更が完了すると（５３５）、セル２は、暗黙的ハンドオーバの完了及び一般的なデータ送信を再開することを知らせる（５４０、５４５）。
【００７３】
ここで、前記過程は、暗黙的ハンドオーバの完了前に以前サービングセルがＵＥにデータを送信し続けることができることを示す。これは、セル活性化過程である；新しいセルがドーマントモードにある。これに対し、新しいセルが活性化モードにあり、例えば、それが既に一つ以上のＵＥをサービングしており、ＵＥが他のセルＩＤを有したサービングセルによりサービングされるＵＥが接近している場合、それは、一つ以上の仮想セルを活性化させるか、またはそれの負荷程度、サービングＵＥの個数、仮想セルの個数などに基づいて、前記ＵＥを拒絶するかどうかを決定する必要性がある。前記新しいＵＥは、ＵＥのＱｏＳ要求、チャネル状態、エネルギーレベルを考慮して、現在存在するサービングＵＥをハンドオーバし新しいＵＥを受け入れうる。
【００７４】
一度仮想セルを作ると決定した場合、上述したドーマントモードでのセル活性化過程が暗黙的にセルを変更するために行われうる。
【００７５】
セルが非活性化状態から活性化状態になる場合、ＲＲＣ再設定及びハンドオーバの必要性を最小化するために、前記セルは、自身のセルＩＤをターゲットＵＥがシームレスに（ｓｅａｍｌｅｓｓｌｙ）アタッチされるように変えることができる。例えば、前記セル２がＵＥによって目を覚まして活性化状態になり、前記セル２は、自身のセルＩＤとしてＵＥ１がセル２と再設定／再接続／ハンドオーバ無しでシームレスに通信できるようにするセルを選択できる。ここで、前記セルは、Ｃｅｌｌ＿ＩＤ１からＣｅｌｌ＿ＩＤ２に自身のセルを変更して、無定形ＲＡＮコンセプトを支援するようにすることができ、このような提案された実施の形態は、どのようにセル−特定及びＵＥ−特定信号及びチャネルが変更上または変更前に送信されるかを示す。
【００７６】
【数１】
0006262772.tif 000002
【００７７】
【数２】
0006262772.tif 000003
【００７８】
【数３】
0006262772.tif 000004
【００７９】
仮に、セルが他のセルＩＤにタッチされた一つ以上のＵＥを支援する必要性がある場合、前記セルは、他のＵＥを支援するために、各々のセルＩＤを有した多重仮想セルを生成できる。ここで、前記仮想セルは、ＴＤＭないしＦＤＭ方式で多重化される（ｍｕｌｔｉｐｌｅｘｅｄ）うる。
【００８０】
図６は、本発明が適用されることができるさらに他の無定形ＲＡＮの例示を示す。図６は、以下に述べられるように、無定形ＲＡＮを具現する接近方式を示す。
【００８１】
図６に示すように、無定形ＲＡＮ（ＡＲＡＮ：Ａｍｏｒｐｈｏｕｓ  ＲＡＮ）の定義は、例えば、ＵＥ移動性と無関係に同一セルの維持、曖昧でありうる。さらに、ＵＥ観点での多数の性質は、無定形ＲＡＮコンセプトのために考慮されうる。ハンドオーバ過程は、ＵＥが関連した同一仮想セルを形成する物理的セルが変更されても起こらない場合がある。ＲＲＭ／ＲＬＭのような基本的な測定は、再開始されない。言い換えれば、連続的な測定が行われうる。ＳＩＢが変更されない場合、ＳＩＢの再獲得は必要としない。
【００８２】
ＣｏＭＰとＡＲＡＮとの主な差異点は以下のとおりである。セル−特定ＲＳを生成するために使用されるＩＤは、物理的セルＩＤと関連されない。セルにスモールセル間の識別子として使用される物理的セルＩＤが割り当てられる。このようなＩＤは、同期チャネルまたはセル特定参照信号には使用されない。
【００８３】
各々のセルは、非活性化状態で多重Ａ−ＲＡＮ  ＩＤを有するディスカバリー信号を送信できる。すなわち、各々のセルは、活性化状態のとき、スモールセルクラスター内で支援されるいかなるＡ−ＲＡＮになることができる。言い換えれば、各々のセルは、セルの識別子として物理的セルＩＤをブロードキャストしない。それよりは、それのＩＤは、ユーザ要求に基づいて決定される。さらに具体的には、ドーマントモード（ｄｏｒｍａｎｔ  ｍｏｄｅ）において、セルは、多重Ａ−ＲＡＮを広告（ａｄｖｅｒｔｉｓｅ）できる。活性化状態において、一つまたは多重Ａ−ＲＡＮがドーマント／オフ状態（ｄｏｒｍａｎｔ／ｏｆｆ  ｓｔａｔｅ）の広告されたＡ−ＲＡＮの間で活性化されうる。Ａ−ＲＡＮの設定観点において、いくつかの接近方式が有用である。
【００８４】
Ａ−ＲＡＮは、スモールセルクラスターでありうる。このような場合、クラスター内のスモールセルは、同じＡ−ＲＡＮ  ＩＤを共有し、Ａ−ＲＡＮを形成する。しかしながら、スモールセルクラスターは、多重Ａ−ＲＡＮを形成できる。このような場合、クラスターマスター（ｃｌｕｓｔｅｒ  ｍａｓｔｅｒ）またはクラスター内に最も低いＩＤを有するか、または予め決定された規則に基づいて決定されるセル、各々のＡ−ＲＡＮは、ＵＥのための初期接近を行い、また必要であれば、マスター情報ブロック（ＭＩＢ）を含むシステム情報を送信できる。前記マスターが前記Ａ−ＲＡＮに接続の試みをするＵＥのカバレッジ内にない場合、他のセルが初期接近を行うことができる。Ａ−ＲＡＮは、スモールセルクラスターの間で形成されうる。このような場合、Ａ−ＲＡＮは、いかなるスモールセルクラスターと関連（ｔｉｅ）されえない。
【００８５】
Ａ−ＲＡＮが考慮されるとき、ＵＥが各々の測定をモニターリングしなければならない互いに異なるセルＩＤを含むＲＲＭ及びＲＬＭをデカップル（ｄｅｃｏｕｐｌｅ）させて、ＵＥがＲＲＭにより識別される物理的セルを変えることに対し、仮想セルまたはデータ送信ポイントまたはＲＬＭにより識別される制御チャネルを送信する送信ポイントを変えないようにすること（またはその反対の場合も）も考慮されうる。本発明は、ＲＲＭオーバーヘッドの減少に重点をおく。しかしながら、物理的セルの変更と無関係にサービングセルを維持させるために、ＲＬＭは、より重要でありうる。したがって、ＲＬＦを減少させるために、Ａ−ＲＡＮコンセプトを適用することが排除されない。ＲＬＭオーバーヘッドと関連した無定形ＲＡＮコンセプトの詳細な事項は、以下のとおりである。
【００８６】
基地局行為側面において、セル−特定ＲＳ及び／または同期チャネル及び／またはディスカバリーチャネルを送信する側面での他の行為が活性化されたＵＥをサービングするか、またはそうでないときに期待されることができる。
【００８７】
活性化されたＵＥが非活性化状態のセルにアタッチされるとき、セルはただ一つのＡ−ＲＡＮまたは一つ以上のＡ−ＲＡＮに属することができる。仮に、一つのＡ−ＲＡＮに属した場合、セルはセル−特定ＲＳ及び／または同期チャネル及び／またはディスカバリーチャネルを前記Ａ−ＲＡＮ  ＩＤを使用して送信するはずである。
【００８８】
多重Ａ−ＲＡＮに属した場合、時間−分割または周波数−分割方式の多重化が多重Ａ−ＲＡＮのように行動するために行われるはずである。単純化のために、セルは、多重Ａ−ＲＡＮで設定されえない（例えば、ただ一つのＡ−ＲＡＮが基地局（ｅＮＢ）に設定されうる）。
【００８９】
例えば、ＵＥ２がセル２に接近するとき、セル２は、Ａ−ＲＡＮ  ＩＤ＝１を有しＵＥ１を既に支援しているから、ＵＥ２を支援できなくことがありうる。このような場合、セル２は、自身のＡ−ＲＡＮ  ＩＤを２に変更して、ＵＥ１の代りにＵＥ２を支援できる。この場合、ＵＥ１が変更するいかなる他のセルが発見されない場合、ＵＥ１をＡ−ＲＡＮ  ＩＤ＝２にハンドオーバできる。基地局が属するようになるいかなるＡ−ＲＡＮを決定する側面において、各々の基地局は、ネットワーク資源の効率性を最大化するために、ＱｏＳ要求、各々のＡ−ＲＡＮ内のＵＥの個数、ＲＲＭ測定報告のようなＵＥ要求を使用することができる。
【００９０】
非活性化状態のセルに活性化ＵＥがアタッチされない場合、非活性化状態において、セルは、多重Ａ−ＲＡＮが存在したかの様に互いに異なるＡ−ＲＡＮ  ＩＤを有する多重ディスカバリーチャネルを送信できる。例えば、クラスター内において、３個のＡ−ＲＡＮが形成された場合、非活性化基地局は、３個の互いに異なるＡ−ＲＡＮ  ＩＤを有するディスカバリー信号を送信できる。各々のＡ−ＲＡＮ  ＩＤを有するディスカバリー信号を送信するためのタイミングまたは周波数は、Ａ−ＲＡＮ別に異なることができる。ＲＲＭ及びハンドオーバの観点において、すべての過程は、マクロセルで使用されるセルＩＤまたは物理的セルよりはＡ−ＲＡＮ及びＡ−ＲＡＮ  ＩＤに基づいて行われうる。
【００９１】
Ａ−ＲＡＮ  ＩＤを定義する方式は、以下のとおりである。存在するＰＳＳ及び／またはＳＳＳと関連されないＡ−ＲＡＮ  ＩＤとしての新しいＩＤは、ディスカバリーチャネルシーケンスの生成に使用される各々のＡ−ＲＡＮに割り当てられうる。前記ディスカバリーシーケンスは、Ａ−ＲＡＮ  ＩＤ及び物理的セルＩＤを使用することができる。または、Ａ−ＲＡＮ  ＩＤは、Ａ−ＲＡＮ  ＩＤのために使用されうるＰＳＳ、０、１、または２と関連されうる。
【００９２】
すなわち、スモールセルクラスターは、３個以上のＡ−ＲＡＮを有さないことがありうる。このような場合、スモールセルクラスターＩＤは、ＳＳＳを介して送信されうる。または、Ａ−ＲＡＮ  ＩＤは、ＳＳＳに含まれることができ、ＳＳＳに送信されるＩＤは、ＰＳＳが前記クラスターＩＤを識別できるＡ−ＲＡＮ  ＩＤのために使用されうる。このような場合、ＵＥが識別できるスモールセルクラスターの個数は、３個である。ＰＳＳ及びＳＳＳ、０、１または２に結ばれているＡ−ＲＡＮ  ＩＤは、Ａ−ＲＡＮ  ＩＤのために使用されうる。スモールセルクラスターＩＤは、ＳＳＳを介して送信されうる。Ａ−ＲＡＮのＩＤは、物理的セルＩＤと同様に｛Ａ−ＲＡＮ  ＩＤ  ｗｉｔｈｉｎ  ａ  ｃｌｕｓｔｅｒ、ａ  ｃｌｕｓｔｅｒ  ＩＤ｝から構成される。このような場合、各々のＲＳ、制御またはデータチャネルを生成する方法が以下に簡略に紹介される。
【００９３】
ディスカバリー信号は、Ａ−ＲＡＮ  ＩＤを識別するために情報を運ぶことができる。また、Ａ−ＲＡＮ  ＩＤがセル−特定ＲＳシーケンスに使用されず、ＰＳＳ／ＳＳＳが使用されない場合、セル−特定ＲＳを送信するために使用されるＡ−ＲＡＮ  ＩＤまたは仮想セルＩＤを識別するために、同期チャネルが送信されうる。
【００９４】
【数４】
0006262772.tif 000005
【００９５】
【数５】
0006262772.tif 000006
【００９６】
【数６】
0006262772.tif 000007
【００９７】
非活性化セルにより多重Ａ−ＲＡＮを送信することを許すために、Ｐの周期でオフ状態においてディスカバリー信号が送信される場合、Ａ−ＲＡＮ  ＩＤ＝ｋを有した各々のディスカバリー信号が、（ｉ＋ｋ）％Ｐ＝０の場合において、サブフレームｉにおいて送信されるとき、オフセットが各々のＡ−ＲＡＮ  ＩＤのために使用されうる。セルは、ただ自分により支援されるディスカバリー信号を送信できる。例えば、セルがＡ−ＲＡＮ  ＩＤ＝１及びＡ−ＲＡＮ  ＩＤ＝２を支援する場合、Ａ−ＲＡＮ  ＩＤ＝１及びＡ−ＲＡＮ  ＩＤ＝２を有するただ二つのディスカバリー信号が前記基地局（ｅＮＢ）により送信されるはずである。
【００９８】
トラッキングＲＳを含むＲＳを送信する観点において、３通りの接近方式が有用でありうる。セルＩＤのようなＡ−ＲＡＮ  ＩＤが使用される。Ａ−ＲＡＮ  ＩＤ及びクラスターＩＤが使用されうるが、例えば、Ａ−ＲＡＮ  ＩＤ＊Ｍａｘ  Ｃｌｕｓｔｅｒ  ＩＤ＋ｃｌｕｓｔｅｒ  ＩＤでありうる。仮想セルＩＤが使用されうるが、前記仮想セルＩＤは、ＰＳＳ／ＳＳにより送信されうる。ここで、前記仮想セルＩＤは、セルの物理的セルＩＤと同一または上位階層シグナリングにより与えられうる。
【００９９】
ＵＥがＲＲＭ報告をするとき、ＵＥに知られた場合のセルＩＤまたは仮想セルＩＤまたはセルＩＤを代替するＡ−ＲＡＮ  ＩＤだけと共に、Ａ−ＲＡＮ  ＩＤがＲＲＭ報告と共に送信されうる。多重セルが同じＡ−ＲＡＮ  ＩＤを共有できるから、基地局からＵＥへの信号強度またはチャネル品質を識別するために、各々の基地局は、ＵＥからチャネル評価ないし予測（ｃｈａｎｎｅｌ  ｅｓｔｉｍａｔｉｏｎ）のために、ＳＲＳまたはＲＡＣＨを使用することができる。
【０１００】
ＰＲＡＣＨ初期電力を決定するために、ＵＥが経路−損失（ｐａｔｈ−ｌｏｓｓ）を測定するとき、ＳＦＮ形式でディスカバリーチャネルが送信されうるから、但しシステム情報送信が使用されうる。仮に、ＵＥがシステム情報の受信無しでＰＲＡＣＨまたはｐｒｅ−ＰＲＡＣＨを送信する場合、例えば、マクロセルからシステム情報が受信されるか、または新しいアップリンクチャネルが使用される場合、経路−損失は固定されたと仮定できる。例えば、初期電力が予め固定される。基地局は、ＵＥがチャネル評価のためのチャネルを測定できるように特定信号を送信できるが、これは、ＣＳＩ要求と似ている。
【０１０１】
図７及び図８は、本発明の一実施の形態にかかるＡ−ＲＡＮ  ＩＤを使用した初期過程を示す。
【０１０２】
図７に示すように、ＵＥがマクロセルからスモールセルクラスター内のＡ−ＲＡＮにハンドオーバする場合、すべての必要な情報がマクロセルにより送信されうる。前記マクロセルの支援と共に、または支援無しで、見られるように、次のようなステップが初期接続のために仮定される。
【０１０３】
Ａ−ＲＡＮのディスカバリーがまず説明される。まずＵＥが活性化された状態でＰＳＳ／ＳＳＳ及び／またはディスカバリー信号のような同期信号が送信されうる。ＵＥが活性化されたＡ−ＲＡＮを感知する場合、ＲＡＣＨ過程を介してアタッチが試みられる。これは、レガシーＲＲＣ接続過程が同様に使用されうる。同じ周波数に対して、ＵＥが活性化されたＡ−ＲＡＮを探索できない場合、ＵＥは、ディスカバリー信号を読むことにより非活性化されたＡ−ＲＡＮを探索する。セルサーチ（ｃｅｌｌ  ｓｅａｒｃｈ）は、次のように設定された優先順位に応じて、互いに異なる周波数において繰り返されうる。
【０１０４】
Ａ−ＲＡＮが識別された場合、次のような過程がアタッチのために行われる。各々のＡ−ＲＡＮのマスターセルは、ＵＥが必要とするシステム情報を送信する。クラスターマスターは、前記クラスター内ですべてのＡ−ＲＡＮのためのマスターでありうる。ＵＥが候補Ａ−ＲＡＮを識別する場合、ＲＡＣＨまたはｐｒｅ−ＲＡＣＨが設定され、ＵＥは、ＲＡＣＨまたはＳＲＳと類似のｐｒｅ−ＲＡＣＨまたはＲＡＣＨを送信できる（７５１）。
【０１０５】
このようなメッセージに使用される設定及び資源は、予め決定されるか、またはシステム情報で送信されうる。セル間の調整（ｃｏｏｒｄｉｎａｔｉｏｎ）がなされた以後のセルまたは最も低いセルＩＤを有するセルまたはＡ−ＲＡＮのためのマスターセルとして決定されたセルは、前記ＲＡＣＨまたはｐｒｅ−ＲＡＣＨに対する応答を送信する。Ｐｒｅ−ＲＡＣＨが送信されるとき、応答は、ＲＡＣＨ設定を含むＳＦＮを介して多重セルにより送信されうる。このような場合、受信された設定に基づいた次のＲＡＣＨが送信されうる。一度、セル設定が完了した以後、一般的なダウンリンク及びアップリンク送信がおきる。オフ状態での初期接続がセルのドーマント状態をわからないレガシーＵＥに対しては支援されないことに留意する。
【０１０６】
さらに具体的には、前記ＵＥは、前記セル１及びセル２からＡ−ＲＡＮ  ＩＤ＝１を有するディスカバリー信号を受信し（８１０、８１２）、Ａ−ＲＡＮ  ＩＤ＝１を有するＭＩＢ／ＳＩＢを受信する（８１４、８１６）。
【０１０７】
また、前記ＵＥは、セル１及びセル２からＡ−ＲＡＮ  ＩＤ＝２を有するディスカバリー信号を受信し（８２０、８２２）、Ａ−ＲＡＮ  ＩＤ＝２を有するＭＩＢ／ＳＩＢを受信する（８２４、８２６）。
【０１０８】
その後、前記ＵＥは、ＰＲＡＣＨの送信のために、Ａ−ＲＡＮ  ＩＤ＝１を有するセルにアタッチするかどうかを決定するが、ＰＲＡＣＨ設定は、ＳＩＢにより送信されうる（８３０）。前記ＵＥは、セル選択を行うために、Ａ−ＲＡＮ  ＩＤ＝１を有するスモールセルクラスター内のマスターセルであるセル１にＳＮＩＲ報告を送ることができ、セル２は、アタッチされたセルとして選択される（８４０）。前記ＵＥは、前記セル２からＲＡＣＨ応答を受信し、前記ＲＡＣＨ応答は、Ａ−ＲＡＮ  ＩＤ＝１を含む（８５０）。前記ＵＥは、セル２とＰＤＳＣＨ及びＰＵＳＣＨにより一般的なデータ送信のための通信を行う（８５６、８５８）。
【０１０９】
一方、前記ＵＥは、前記データ送信の間にセル１に移動し（８６０）前記データ送信は、前記セル２に維持されるか、または状態移動（ｓｔａｔｅ  ｔｒａｎｓｆｅｒ）が起きうる（８７０）。前記状態移動のために、前記データ送信のサービングセルが割り当てられたユーザＲＮＴＩと共に、ＵＥトークン（ｔｏｋｅｎ）を生成することによって、物理的セル２からセル１へ変更されるから、前記ＵＥは、セル１とＰＤＳＣＨ及びＰＵＳＣＨによる一般的なデータ送信のための通信を行う（８７２、８７６及び８７８）。
【０１１０】
さらに具体的には、オン状態であるＡ−ＲＡＮでの初期接続過程は、図９に示すとおりである。ＵＥが、所定のオン状態のセルを発見してＡ−ＲＡＮに接続を試みる場合、ＰＳＳ／ＳＳＳを介して伝達されるＩＤ観点において、３個の代案が考慮されうるが、Ａ−ＲＡＮ  ＩＤ及びクラスターＩＤを運ぶＰＳＳ／ＳＳＳ、仮想セルＩＤを運ぶＰＳＳ／ＳＳＳまたは物理的セルＩＤを運ぶＰＳＳ／ＳＳＳがそれらである。本発明では、Ａ−ＲＡＮシナリオのために使用されるＡ−ＲＡＮ  ＩＤ及びｃｌｕｓｔｅｒ  ＩＤを有するＰＳＳ／ＳＳＳまたは仮想セルＩＤを運ぶＰＳＳ／ＳＳＳが仮定される。
【０１１１】
ＵＥは、ＳＦＮ類型で送信されるＰＳＳ／ＳＳＳ／ＣＲＳ上の一般的なＲＲＭを行う（９１０、９１２）。オン状態でＭＩＢ／ＳＩＢを受信する観点において、２通りのメカニズムが考慮される。一つの方式は、Ａ−ＲＡＮ内のすべての活性化されたセルが同時にＭＩＢ及び／またはＳＩＢを送信して、ＵＥが高信頼性を有して受信できるようにすることである。他の方式は、Ａ−ＲＡＮ内の各々の活性化されたセルからのＭＩＢ及びＳＩＢ送信間のオフセットを使用して、ＵＥが一つまたは多重ＭＩＢ／ＳＩＢを読むことができるようにすることである。
【０１１２】
示すように、前記ＵＥは、セル１及び／またはセル２からＡ−ＲＡＮ  ＩＤ＝１を有するＭＩＢ／ＳＩＢを受信する。ここで、ＳＩＢ  ＴＸタイミングが整列された場合、セル２は、前記セル１と同じ時間に前記ＭＩＢ／ＳＩＢを送信し（９１４、９１５、９１６、９１７）、ＳＩＢ  ＴＤＭが使用される場合、セル２は、セル１と異なる時間に前記ＭＩＢ／ＳＩＢを送信するようになる（９２５、９２７）。
【０１１３】
ＭＩＢ／ＳＩＢを読んだ後に、ＵＥはＰＲＡＣＨを送信できるが、ＰＲＡＣＨに対した設定は、ＳＩＢにより送信されうる。Ａ−ＲＡＮ内の各々のセルは、他のＰＲＡＣＨプリアンブルシーケンスまたは資源を利用して、ＰＲＡＣＨを読むことにより、ターゲットセルが識別されうる。各々のセルまたは資源に対する互いに異なるプリアンブルシーケンスの割り当ては、クラスター内のセル間の調整（ｃｏｏｒｄｉｎａｔｉｏｎ）によりなされうる。このような接近方式は、各々のセルが互いに異なる時間または周波数でＳＩＢを送信する時だけに適用可能でありうる。仮に、ＳＩＢ送信がＳＦＮ類型でなされる場合、セル別に互いに異なる設定がＵＥに与えられない場合もある。このような場合、セルがＵＥにＲＡＲを送信するかどうかの決定は、ネットワークに拠る。
【０１１４】
セルがＵＥからＰＲＡＣＨを受信した後、セルはＲＡＲで応答する。レガシー動作とは異なり、Ｃ多重セルから同時に送信されてデータ復調のためのチャネル評価（ｃｈａｎｎｅｌ  ｅｓｔｉｍａｔｉｏｎ）の品質を劣化させることができるＣＲＳとしてデコードするＲＡＲのためにＣＲＳが利用されない場合もある。
【０１１５】
いくつかの接近方式がこのような問題点を解決するのに有用である。一つは、ＲＡＲを送信するセルを除いた他のセルからのＣＲＳ送信を制限して、ＣＲＳ基盤のデータ復調が依然として有効なようにすることである。
【０１１６】
他の接近方式は、ＲＡＲ復調のためにＤＭ−ＲＳを利用することである。このような場合、ＤＭ−ＲＳのスクランブリングは、ユーザＲＮＴＩが使用可能でない場合もあるから、ユーザＲＮＴＩよりは、プリアンブルシーケンスインデックスまたはＰＲＡＣＨが送信されるサブフレームインデックスまたはＰＲＡＣＨ資源設定インデックスに基づいてなされうる。仮に、ＤＭ−ＲＳがＡ−ＲＡＮシナリオでデータ復調のために使用される場合、ＣＲＳの周波数は、トラッキング目的としてだけ毎５秒ごとに減少できる。最後の接近方式は、すべての活性化されたセルがＳＦＮ類型で同じＲＡＲを送信することでありうる。
【０１１７】
図示のように、ＵＥは、セル１からＲＡＲ／ＤＭ−ＲＳを受信し、データ復調のためにセルからＣＲＳを受信する（９４０、９４２）。ＲＡＣＨ過程は、一般的なデータの送信のために、Ｍｓｇ３及びＭｓｇ４を送信することにより完了する（９５０、９５２）。
【０１１８】
ＵＥがＡ−ＲＡＮ  ＩＤ＝ｋであるセルにアタッチされたとき、セルがそのＡ−ＲＡＮ  ＩＤを有するクラスター内の第１番目のセルであるか、ＵＥがＲＲＣ＿ＩｄｌｅからＲＲＣ＿Ｃｏｎｎｅｃｔｅｄに変更されてセルキャンプ−オン（ｃａｍｐ−ｏｎ）が発生した場合、物理的セルであるサービングセルがスイッチされるとき、基地局はＵＥに伝達されて割り当てられるユーザＲＮＴＩを有するトークンを生成する。例えば、ＵＥ１がセル１範囲からセル２範囲に移動してセル２がサービングセルになった場合、セル１は、ＵＥ１のトークンをセル２に伝達してセル２がＵＥ１へのダウンリンク及びアップリンクを初期化できるようにする。
【０１１９】
前記トークンが送信される前に、セル１及びセル２間のすべての必要な情報送信がなされうる。このようなことは、無定形ＲＡＮが物理的／仮想的なセルＩＤ変更を活用して達成される場合に適用されうる。
【０１２０】
さらに、多重周波数ハンドリングが述べられる。１００ＭＨｚのような大きな帯域幅が利用でき、スモールセル基地局が１回に２０ＭＨｚをハンドリングできる場合、周波数ホッピングメカニズムが全帯域幅を完全に活用するために考慮されうる。例えば、周波数ホッピングの例が図１０に開示される。
【０１２１】
図１０は、本発明の一実施の形態にかかる周波数ホッピングを示す。前記周波数ホッピングは、多重２０ＭＨｚシステム帯域幅で記述される。
【０１２２】
図１０に示すように、前記ホッピングパターンを設定するために、いろいろな接近方式が有用でありうる。基地局がスモールセルクラスターに属していているかどうかに関係なく、セルＩＤと関連された予め決定されたホッピングパターンが使用されうる。これは、予め決定されたホッピングパターンに基づいた週波数ホッピングを可能にする。基地局が一つの周波数にとどまる区間もまた、前記予め決定されたホッピングパターンに応じて固定されうる。
【０１２３】
スモールセルクラスター内で決定されて指示されたホッピングパターンが使用される。各々のスモールセルクラスターは、クラスター内の各々の基地局にＩＤを割り当ててＩＤが前記ホッピングパターンを決定するように使用されうる。５個のホッピングパターンが定義される場合、各々の基地局に該当するパターンは、クラスター内のｅＮＢ＿ＩＤ％５により決定されうる。また、クラスター内に割り当てられた前記ＩＤと関連した予め決定されたホッピングパターンが代わりに使用されうる。
【０１２４】
ホッピングパターンの指示方式は、次の通りである。まず、セルがＳＣｅｌｌだけで行動するとき、マクロセルまたはＰＣｅｌｌにより指示され、システム情報は、前記ＰＣｅｌｌまたはマクロセルにより送信されることができ、前記システム情報は、前記ＳＣｅｌｌがＳＦＮと共に使用する周波数ホッピングパターンを含んで、ＵＥが前記ＳＣｅｌｌを位置させる正しい周波数を決定できるようにする。さらに他の接近方式としてＭＩＢを介した情報伝達でホッピングパターンの指示はＭＩＢを介してシグナリングできる。このような方式が使用される場合、４０ｍｓｅｃのＭＩＢコードワード送信期間の間に前記周波数が同様に維持されるはずである。
【０１２５】
さらに、ＵＥが前記必要時間内でＰＳＳ及びＳＳＳのような同期チャネルを読むことにより、前記セルを位置させるのを許諾するために、同じ周波数が２００ｍｓｅｃのような予め決定された時間内で使用されうる。上位階層シグナリングが使用されうる。前記ホッピングパターンまたはホッピングのための新しい周波数のための変更を知らせるために、上位階層シグナリングがＵＥに与えられうる。ＤＣＩを介した動的シグナリングが使用されうる。ＤＣＩを使用することにより、基地局は、前記ホッピングタイプ及び／またはホッピング区間及び／またはホッピングの使用／不使用及び／またはホッピング命令を知らせうる。例えば、ＵＥに新しいホッピングパターンまたは類型が指示されるまでまたは新しい周波数のためにＤＣＩに指示される時間の間に次のダウンリンクサブフレームが適用可能なホッピング類型を適用するようにＤＣＩはＵＥに知らせうる。
【０１２６】
周波数ホッピング環境でのＲＲＭは、次の通りである。前記基地局が新しい動作周波数を有するように自身のセルＩＤを変更しないことができても、ＵＥは各々の動作周波数別に分離されたＲＲＭを報告するはずである。基地局が周波数ホッピングまたは他の方式を使用して一つ以上の周波数で動作する場合、ＵＥは、各々の周波数を分離して測定された多重ＲＲＭを報告できる。したがって、周辺セルのＲＲＭ測定に対して、ＵＥがセルＩＤまたはクラスター内のＩＤからホッピングパターンを類推できない場合、ＵＥに周辺セルのホッピングパターンを知らせる必要性がある。
【０１２７】
ＵＥは、互いに異なる周波数から得られたＲＲＭ測定を組み合わせなくても良い。そして、周波数ホッピングギャップ（Ｇａｐ）のために、基地局が自身の周波数をｆ１からｆ２に変更する場合、スイッチングギャップのためのギャップが必要となりえる（１０５０）。前記ギャップは、ｆ１の最後のサブフレームに与えられることもでき、ｆ２の第１番目のサブフレームに与えられうる。好ましくは、サブフレームの第１番目のいくつかのＯＦＤＭシンボルに位置した潜在的なレガシーＰＤＣＣＨまたはＰＨＩＣＨを保護するために、第１番目の周波数の最後のサブフレームの最後のいくつかのＯＦＤＭシンボルに前記ギャップが与えられうる。ダウンリンク周波数ホッピングがおきた場合、接続したアップリンク周波数もまた、ホッピングされうる。例えば、ｆ１がｕ＿ｆ１と関連し、ｆ２がｕ＿ｆ２に関連している場合、ダウンリンク周波数がｆ１からｆ２に変更されるとき、アップリンク周波数もまた、ｕ＿ｆ１からｕ＿ｆ２に変更されうる。
【０１２８】
さらに、図１１に示すように、動作周波数を変更することによりＡ−ＲＡＮ  ＩＤが変更される。
【０１２９】
図１１は、本発明の一実施の形態にかかるＵＥに透明な（ＵＥ−ｔｒａｎｓｐａｒｅｎｔ）周波数ホッピングを示す。
【０１３０】
例えば、Ａ−ＲＡＮ  ＩＤ＝１を有したセルにｆ１が使用され、前記Ａ−ＲＡＮ  ＩＤを使用する物理的基地局が時間に応じて変更される場合、ｆ１においてサービングされるＵＥは、各々ｃｅｌｌ  １→ｃｅｌｌ  ２→ｃｅｌｌ  ３→ｃｅｌｌ  ２→ｃｅｌｌ  １のとおりにサービングされるようになる。これに対し、ＲＳ／制御／データがコーディングされるＡ−ＲＡＮ  ＩＤは、Ａ−ＲＡＮ  ＩＤ＝１に同様に維持される。このような方式の利点は、周波数変更レイテンシ（ｌａｔｅｎｃｙ）に起因したセル変更間のギャップを認知する必要性があるＵＥにシームレスな（ｓｅａｍｌｅｓｓ）接続性を許諾することにある。Ａ−ＲＡＮ  ＩＤが変更されなくても、物理的に、ＵＥは、ＴＤＭ形式で多重セルによりサービングされる。これは、セル間の負荷均衡（ｌｏａｄ  ｂａｌａｎｃｉｎｇ）を提供でき、各々のセルは、ラウンド−ロビン（ｒｏｕｎｄ−ｒｏｂｉｎ）方式の高−負荷ＵＥを支援できる。物理的／仮想的セルＩＤは、Ａ−ＲＡＮ  ＩＤの代りに使用されうる。代案として、周波数ホッピングは、ＵＥが自身の周波数を変更しなくともなされうる。
【０１３１】
示すように、Ａ−ＲＡＮ  ＩＤ＝１は、ＵＥにＴＤＭ方式でｃｅｌｌ  １→ｃｅｌｌ  ２→ｃｅｌｌ  ３→ｃｅｌｌ  ２→ｃｅｌｌ  １でサービングする。Ｔｈｅ  Ａ−ＲＡＮ  ＩＤ＝２は、ＵＥにｃｅｌｌ  ２→ｃｅｌｌ  １→ｃｅｌｌ  ２→ｃｅｌｌ  １→ｃｅｌｌ  ３でサービングし、ｔｈｅ  Ａ−ＲＡＮ  ＩＤ＝３は、ＵＥにＴＤＭ方式でｃｅｌｌ  ３→ｃｅｌｌ  ３→ｃｅｌｌ  １→ｃｅｌｌ  ２→ｃｅｌｌ  ２でサービングする。
【０１３２】
各々にセルに予め固定されたホッピングパターンを使用する代りに、Ａ−ＲＡＮもまた、各々の周波数に配置されうる。
【０１３３】
図１２は、本発明の一実施の形態にかかる多重周波数環境でのＡ−ＲＡＮを示す。
【０１３４】
ｆ１にＡ−ＲＡＮ  ＩＤ＝０が配置され、ｆ２にＡ−ＲＡＮ  ＩＤ＝１が配置される。このような場合、各々のセルはオフ状態で互いに異なる周波数で多重Ａ−ＲＡＮに広告する（例えば、セル１のためにｆ１においてＡ−ＲＡＮ  ＩＤ＝０のディスカバリー信号、ｆ２においてＡ−ＲＡＮ  ＩＤ＝１のディスカバリー信号）。そして、活性化状態になる時、図１２に示すように、一つのＡ−ＲＡＮｄｍｆ支援するように一つの周波数でオン状態に維持されうる（例えば、ＵＥ１のために活性化状態でセル１のためのＡ−ＲＡＮ  ＩＤ＝０、ＵＥ２のための活性化状態でセル３のためのＡ−ＲＡＮ  ＩＤ＝１）。このような方式が使用される場合、互いに異なる周波数でのディスカバリー信号の送信時間は、周波数スイッチング遅延を考慮して調整されるはずである。
【０１３５】
このような方式はまた、ユーザの数字が小さくて（例えば、１０）、クラスターが各々のＵＥのために分離された周波数を割り当てることができ、各々の基地局が互いに異なる周波数を有した多重仮想セルを動作させることができる無定形ＲＡＮを可能なようにする。所定の周波数（例えば、ｆ１）を有したＵＥがセルの近くに移動するとき、ｆ１を有した仮想セルを動作させて（ｅｎａｌｂｌｅ）シームレスな接続性がそのＵＥに支援されるようになしえる。
【０１３６】
ＵＥ１は、Ａ−ＲＡＮ  ＩＤ＝０及びＳＩＢを有したディスカバリー信号を受信した後、ｃｅｌｌ  １−ｆ１へのＲＡＣＨを行うことにより、ｃｅｌｌ  １−ｆ１にアタッチして、ＵＥ１は、Ａ−ＲＡＮ  ＩＤ＝０のマスターセルとして前記ｃｅｌｌ  １−ｆ１からＰＳＳ／ＳＳＳを受信し、前記ｃｅｌｌ  １−ｆ１はオン状態である。これに対し、ＵＥ２は、Ａ−ＲＡＮ  ＩＤ＝１及びＳＩＢを有したディスカバリー信号を受信した後、ｃｅｌｌ  ３−ｆ２のＲＡＣＨを行うことにより、ｃｅｌｌ  ３−ｆ２にアタッチして、ＵＥ２は、Ａ−ＲＡＮ  ＩＤ＝１のマスターセルとして前記ｃｅｌｌ  ３−ｆ２からＰＳＳ／ＳＳＳを受信し、前記ｃｅｌｌ  ３−ｆ２は、オン状態である。前記ｃｅｌｌ  ３−ｆ２からの信号は、ｃｅｌｌ  １−ｆ１からの信号が送信されるサブフレームから予め決定されたオフセットを有したサブフレームから送信されうる。
【０１３７】
図１３は、本発明の一実施の形態にかかる多重周波数において仮想セルＩＤを介した無定形ＲＡＮの一例を示す。
【０１３８】
使用されうる周波数の個数が支援されるＵＥの個数より低い場合、前述したＴＤＭメカニズムは、多重周波数仮想セルの組み合わせで使用されうる。仮想セルを活性化させるために、ディスカバリー信号が各々の周波数で送信されてＵＥがその周波数で仮想セルを発見するようにできる。ここで、ＵＥ１は、仮想セルＩＤ＝２を有したセル１（ｆ２）及びセル２（ｆ２）を含むｆ１に接近しており、ＵＥ２は、仮想セルＩＤ＝１を有したセル１（ｆ１）及びセル２（ｆ１）を含むｆ１に接近している。
【０１３９】
この方式は、スモールセル間にＣｏＭＰを適用してＵＥが、サービングセルが自身の周波数を他の周波数に変更する時に同一周波数でサービングされるためのものであり、同一周波数を使用する周辺セルは、ＤＰＳを使用することのようにＵＥをサービングすることができる。これを可能にするために、ＵＥは、ＣｏＭＰ動作のために多重セルで設定される。ＵＥは、ＤＣＩシグナリングを介して動的にＤＰＳを使用してデータを受信するように設定されるか、またはホッピングパターンが与えられて、ＵＥがダウンリンクデータが制御及びデータを全部含む場合、ＴＤＭ方式でＴＰからすべてのダウンリンクデータを受信するようにすることができる。
【０１４０】
ＤＣＩにより活性化されるＤＰＳからの差異点は、分離してｅＰＤＣＣＨ集合を設定することなく、互いに異なるＴＰから制御を受信することもできるという点である。すなわち、ＴＤＭを介して多重セルが再設定無しで一つのＵＥを支援する。ＲＬＭは、物理的セル変更と無関係に起きうる。ここで使用される基地局は、物理的基地局を参照しないという点を留意する。それよりは、一つのキャリアまたはセルを動作させる論理的コンセプトである。特に、ＲＲＨは、このような意味においてｅＮＢでありうる。物理的基地局は、このような意味において多重ｅＮＢを有しうる。このようなコンセプトは、各々のセルがＴＤＭまたはＦＤＭ方式でいくつかのＡ−ＲＡＮを形成でき、多重セルが協力的にＴＤＭを介してＵＥを支援する単一周波数ケースに適用されうる。
【０１４１】
以下、ドーマントＡ−ＲＡＮのための単一デザインが論議される。まず、ディスカバリー信号が述べられる。ディスカバリー信号のＳＦＮ送信を許すために、活性化状態での一般的なデータ送信において使用されるＣＰよりは長いＣＰがディスカバリー信号のために使用されると仮定する。ディスカバリー信号に対して拡張ＣＰが使用されると仮定する。
【０１４２】
【数７】
0006262772.tif 000008
【０１４３】
【数８】
0006262772.tif 000009
【０１４４】
図１４は、本発明の一実施の形態にかかる拡張循環プレフィックス（ｅｘｔｅｎｄｅｄ  ｃｙｃｌｉｃ  ｐｒｅｆｉｘ）でのディスカバリー信号のマッピングを示す。
【０１４５】
前記ディスカバリー信号に対するサブフレームの設定は、予め固定されるか、または上位階層シグナリングによって周期及びオフセットが決定されうる。ディスカバリー信号を送信するアンテナポートは定義されないか、またはドーマント状態でのシステム情報の送信に使用されるディスカバリー信号及びＤＭ−ＲＳは、ｑｕａｓｉ−ｃｏｌｌｏｃａｔｅｄと仮定できる。
【０１４６】
さらに、活性化状態において使用されるディスカバリー信号のアンテナポート及びＰＳＳ／ＳＳＳ／ＣＲＳは、ＱＣＬと仮定されない場合もある。また、上位階層の指示は、ディスカバリー信号にＱＣＬ関係を指示するように与えられうる。ＰＳＳ／ＳＳＳに基づいて、ＰＳＳ／ＳＳＳがＡ−ＲＡＮディスカバリー信号に使用される場合、ＰＳＳは、Ａ−ＲＡＮ  ＩＤを送信するのに使用されることができ、ＳＳＳは、クラスターＩＤを送信するのに使用されうる。
【０１４７】
システム情報に対して、各々のＡ−ＲＡＮのマスターセルは、マスター情報ブロックを含むシステム情報を送信する。ドーマントモードで送信されるシステム情報は、ただＭＩＢ及びＳＩＢ１またはＳＩＢ２または新しいＳＩＢまたは組み合わせられたＭＩＢ／ＳＩＢ１／ＳＩＢ２のＳＩＢに限定されうる。システム情報は、ディスカバリー信号に応じる関連したＰＤＣＣＨまたはｅＰＤＣＣＨ無しで送信されうる。ディスカバリー信号の送信以後に、システム情報の送信開始がＫ  ｍｓｅｃ内で起きうる。例えば、Ｋ＝１は、ＳＩＢの即時送信を意味する。レガシーキャリアのＰＢＣＨデザインを維持するために、システム情報は、ＰＢＣＨデコードに使用されるデフォルトＤＭ−ＲＳパターンを有し次の４０ｍｓｅｃの間に送信されうる。
【０１４８】
このようなシステム情報メッセージは、レガシーＰＢＣＨまたは活性化状態において送信されるＰＢＣＨとは異なりうる。これはただＵＥがＲＡＣＨを送信することを許すための必須な情報を含んで、セルが活性化状態になることができるようにする。例えば、システム帯域幅及びＲＡＣＨ設定はドーマント状態で送信されるシステム情報の内容でありうる。ＵＥは、必要であれば、活性化状態のＰＢＣＨが送信されるアンテナポートの個数を識別するために、ドーマント状態で送信されるＰＢＣＨのブラインドデコードの遂行を必要としない場合がある。
【０１４９】
前述したように、Ａ−ＲＡＮ別マスターセルがドーマント状態でＭＩＢ及び／またはＳＩＢを送信して不必要なオーバーヘッドを避けることが提案される。各々のセルのカバレッジが完全に重ならない場合を考慮して、各々のセルからＭＩＢ及び／またはＳＩＢが送信されることを考慮することが依然として価値がある。図１５は、本発明の一実施の形態にかかるシグナリング順序を示す。
【０１５０】
図１５に示すように、ＰＢＣＨのように組み合わせられたシステム情報がドーマントモードで送信される。一つの簡単な方法は、ＴＤＭ方式で各々のセルによりドーマントモードＰＢＣＨとしてｄ−ＰＢＣＨを送信することである。例えば、セルノードがＩＤ＝０であるＡ−ＲＡＮに広告し、１秒ごとにディスカバリー信号が送信される。その後、ｄ−ＰＢＣＨが１０個の多重無線フレームのオフセットを有して送信されうる。例えば、スモールクラスター＝０内で割り当てられたＩＤを有したセルは、ディスカバリー信号送信以後に第１番目の無線フレームでｄ＿ＰＢＣＨを送信し、ＩＤ＝１を有したセルは、続けてディスカバリー信号送信後に１０無線フレーム以後ｄ＿ＰＢＣＨを送信する。
【０１５１】
これは多重無線フレームをモニターリングしなければならないので、ｄ＿ＰＢＣＨを獲得するＵＥでは、レイテンシ及びオーバーヘッドが増加できる。このような方式が使用される場合、ＵＥは、ｄ−ＰＢＣＨに使用される電力が予め固定されるか、またはｄ−ＰＢＣＨ内でシグナリングされるか、ディスカバリー信号内でシグナリングされると仮定して、ｄ−ＰＢＣＨを読むことにより、経路−損失測定を行うことができ、ＰＲＡＣＨを送信するために前記情報を利用できる。各々のｄ−ＰＢＣＨは、ＵＥが利用できる潜在的なＰＲＡＣＨ設定、プリアンブルシーケンス及びサブフレーム設定を運ぶことができる。ＵＥは、評価された経路−損失情報に基づいて最善のセルにより広告されるＰＲＡＣＨ設定を利用する。
【０１５２】
初期にＴＤＭ方式のｄ−ＰＢＣＨに基づいてオフ状態に接続する。前記ｄ−ＰＢＣＨは、ＣＲＳまたはＤＭ−ＲＳにより復調されうる。ＰＭＣＨはまた、ドーマント状態で支援できる。ドーマント状態のＡ−ＲＡＮは、ＭＢＳＦＮ設定情報を送信しない場合もあるから、ＭＢＳＦＮサブフレーム設定及び他の必要な情報は、活性化されたスモールセルまたはマクロセルにより送信されうる。
【０１５３】
さらに、レガシーＵＥ及び改善されたＵＥが共存する状況が期待される。レガシーＵＥの性能劣化を防止するために、好ましくは、Ａ−ＲＡＮシナリオは、レガシーＵＥを支援できる。このセクションはＡ−ＲＡＮシナリオでどのようにレガシーＵＥを支援するかに対して議論する。
【０１５４】
第１番目の接近方式は、レガシーセル及びＡ−ＲＡＮセルが重なることである。一つの単純な方式は、レガシーキャリア及びＡ−ＲＡＮキャリアを、レガシーＵＥはレガシーキャリアに改善されたＵＥはＡ−ＲＡＮキャリアにアタッチされるように配置することである。しかしながら、このような方式は、依然としてレガシーキャリアが充分に配置されない場合、レガシーＵＥに対してカバレッジホールを作る問題点がありうる。
【０１５５】
第２番目の接近方式は、活性化されたＡ−ＲＡＮセル及びオン／オフＡ−ＲＡＮセルを重ならせておくことである。他の接近方式は、少なくともいくつかのＡ−ＲＡＮキャリアをレガシーＵＥを支援できるように常に活性化されるように配置することである。第３番目の接近方式は、オン／オフＡ−ＲＡＮセルが少なくとも活性化状態でレガシーＵＥを支援するように使用することである。
【０１５６】
前記第２番目または第３番目の接近方式を実現するために、少なくとも活性化された状態のＡ−ＲＡＮキャリアがレガシーＵＥを支援できなければならない。初期接続過程が仮定される場合、シグナリングデザイン考慮事項がレガシーＵＥを支援するために必要である。まず、ＰＳＳ／ＳＳＳ／ＣＲＳをＣｏＭＰシナリオと似ているようにして、ユーザがＰＳＳ／ＳＳＳ／ＣＲＳを送信したＳＦＮを受信できるようにすることである。ここで、ＣＲＳは、物理的セルＩＤでスクランブリングされたことである。ＰＳＳ／ＳＳに対してＩＤを送信する一つの例示は、Ａ−ＲＡＮ  ＩＤ及びクラスターＩＤをＰＳＳ及びＳＳＳに分離することである（例えば、０−２はＡ−ＲＡＮ  ＩＤ、０−１６７は、クラスターＩＤまたはその反対の場合も）。したがって、物理的セルＩＤは、Ａ−ＲＡＮ  ＩＤ及びクラスターＩＤの組み合わせであろう（例えば、１は、Ａ−ＲＡＮ  ＩＤであり、１０８は、クラスターＩＤである場合−＞セルＩＤ＝２７６）。
【０１５７】
ＣＲＳは、このようなセルＩＤでスクランブリングされることである（組合わせられたＡ−ＲＡＮ  ＩＤ及びクラスターＩＤ）。クラスターＩＤの代りに、仮想セルＩＤが使用されうることに留意する。そして、ＰＢＣＨは、同時に活性化されたセルがある場合、多重セルから送信されうるか、または４０ｍｓｅｃで交代に各々の活性化されたセルがＰＢＣＨを送信できる。例えば、一セルは、第１番目の４０ｍｓｅｃの間にＰＢＣＨを送信し、他のセルは、次の４０ｍｓｅｃでＰＢＣＨを送信する。ＳＩＢ送信は、活性化された多重セルから同時に送信されるか、またはＰＢＣＨと同様にして交代に送信されうるが、インターバルは、多重４０ｍｓｅｃ（ｍｕｌｔｉｐｌｅ  ｏｆ  ４０ｍｓｅｃ）のＳＩＢウィンドウとして異なりうる。
【０１５８】
ＲＡＲは、ＳＦＮ送信であるか、または他の活性化されたセルがＣＲＳ上において電力を減らしたり、ＣＲＳを送信しなくてデータ復調のためのＣＲＳ基盤のチャネル評価が同じＩＤの多重活性化セルに影響を及ぼさないようにする。類似の処理がまたＣＲＳ基盤のＰＤＳＣＨ送信にもなされうる。
【０１５９】
ＵＥは、ＩＤ＝１に対したマスターセルとしてセル１、及びＩＤ＝２に対したマスターセルとしてセル２からＡ−ＲＡＮ  ＩＤ＝１を有したディスカバリー信号を受信する（１５１０、１５１２）。その後、前記ＵＥは、前記セル１及びセル２からＡ−ＲＡＮ  ＩＤ＝１を有したｄ−ＰＢＣＨを受信する。前記ｄ−ＰＢＣＨは、ＵＥがＡ−ＲＡＮ  ＩＤ＝１のために潜在的に使用できる前記ＰＲＡＣＨ設定プリアンブルシーケンス及びサブフレーム設定を運ぶことができる（１５２０、１５２２）。また、ＵＥは、前記セル１及びセル２からＡ−ＲＡＮ  ＩＤ＝２を有したディスカバリー信号を受信する。その後、前記ＵＥは、前記セル１及びセル２からＡ−ＲＡＮ  ＩＤ＝２を有したｄ−ＰＢＣＨを受信する。前記ｄ−ＰＢＣＨは、Ａ−ＲＡＮ  ＩＤ＝２のために潜在的に使用できる前記ＰＲＡＣＨ設定プリアンブルシーケンス及びサブフレーム設定を運ぶことができる（１５４０、１５４２）。
【０１６０】
前記ＵＥは、前記ｄ−ＰＢＣＨに基づいて最善のセルを選択し、セル１のためのＰＲＡＣＨ設定を選択する（１５５０）。前記ＵＥがセル１にＡ−ＲＡＮ  ＩＤ＝１を有したＲＡＣＨプリアンブルを送信し（１５５２）、前記ＲＡＲ／ＣＲＳに応答し（１５５４）、Ｍｓｇ  ３を送り（１５５６）、Ａ／ＮとしてＭｓｇ４を受信する（１５５８）。ＰＤＳＣＨ及びＰＵＳＣＨを利用したデータ送信が前記ＵＥ及びセル１間に行われる（１５５８、１５６０）。
【０１６１】
さらに他の単純な接近方式は、ＭＩＢ／ＳＩＢを送信するマスターセルを選択し、ＲＡＲを送信し、ＲＲＣパラメータを設定することである。一度樹立されると、レガシーＵＥは、前記マスターセルだけでなく他のセルからデータを受信することを許諾するようにする送信モードに基づいたＤＭ−ＲＳで設定されうる。このような場合、Ａ−ＲＡＮ内のセルは、それらが同じシナリオケースのＣｏＭＰ集合にあったかの様に行動できる。非マスターセルまたは非サービングセルは、依然として改善されたＵＥのための初期接続を許容することができる。
【０１６２】
図１６は、本発明が適用されることができるレガシーＵＥ及び非レガシーＵＥが共存する場合の例示を示す。
【０１６３】
マスターセルは、レガシーキャリアプロトコルに従うことができる。例えば、前記Ａ−ＲＡＮ内の他のセルは、新しいキャリアプロトコル（例えば、ＣＲＳを送信しない）に従うことに対し、毎サブフレームごとにＣＲＳが送信される。セルが自身の類型を新しいキャリアタイプからレガシーキャリアタイプに変更する場合、接続した改善されたＵＥが整列されなければならないことが通知されうる。セルが自身のタイプをレガシーキャリアタイプから新しいキャリアタイプに変更する場合、レガシーＵＥは、そのタイプが変更される前に他のレガシーキャリアにハンドオーバされる。
【０１６４】
接続したセルが自身のタイプをＬＣＴ（Ｌｅｇａｃｙ  Ｃａｒｒｉｅｒ  Ｔｙｐｅ）からＮＣＴ（Ｎｅｗ  Ｃａｒｒｉｅｒ  Ｔｙｐｅ）に変更する場合、前記ＵＥの行動は、以下に従う。セルがいかなる活性化されたレガシーＵＥを有しない場合、セルは、自身のセルタイプをより良いエネルギー効率及びスペクトル効率を許すために、新しいキャリアタイプに変更できる。まず、前記セルがＡ−ＲＡＮのマスターセルでる場合、それはセルタイプ変更の開始前に自身の主要役割を多数の他のレガシーキャリアタイプセルハンドオーバすることである。セル−ブロードキャストまたは上位階層シグナリングにより、各々の改善されたＵＥは、セルタイプ変更でシグナリングされる。効果的な時間観点で、前記ＵＥは、少なくとも８ｍｓｅｃ以後に（またはｋ＞＝８ｍｓｅｃ）第１番目に活性化されたサブフレームがレガシーＰＤＣＣＨ（またはＰＣＦＩＣＨ）を運ばないと仮定するはずである。ＵＥが新しいキャリアタイプを活性化させる前にｅＰＤＣＣＨで設定されないから、ｅＰＤＣＣＨの第１番目の設定は必要とすることができる。
【０１６５】
ＬＣＴからＮＣＴへのセルタイプ変更において、次のパラメータがＵＥ−特定またはセル−特定シグナリングによりＵＥに与えられうるが、前記パラメータはセルタイプ変更指示、ＣＳＳに使用されるデフォルトｅＰＤＣＣＨ設定、ｅＰＤＣＣＨの開始シンボル、前記ＵＥがシステム情報の再獲得が必要な場合のシステム情報アップデート、ｅＰＤＣＣＨ集合の設定または追加的なｅＰＤＣＣＨ集合設定、前に使用されたＴＭがＣＲＳ基盤である場合（例えば、ＴＭ３）の送信モードを含みうる。すべてのまたは部分的なパラメータは、セルタイプ変更において与えられうる。
【０１６６】
一方、接続したセルが自身のタイプをＮＣＴからＬＣＴに変更する場合、セルがレガシーＵＥにより接近し、前記レガシーＵＥが前記セルによりサービングされることが決定されるとき、前記セルは、自身のセルタイプをＮＣＴからＬＣＴに変更して、前記レガシーＵＥがサービングされるようにできる。
【０１６７】
ＮＣＴからＬＣＴへのセルタイプ変更において、次のパラメータがＵＥ−特定またはセル−特定シグナリングによりＵＥに与えられうる。前記パラメータは、セルタイプ変更指示、変更される場合、ｅＰＤＣＣＨの集合設定、ｅＰＤＣＣＨの開始シンボル、システム情報アップデート、送信モードを含む。
【０１６８】
効果的な時間は、指示以後、８ｍｓｅｃ（またはｋ＞＝８）以後にレガシーＰＤＣＣＨを検出することにより決定されうる。ＲＲＣ模倣性の間にまたはセルタイプ変更区間の間、レガシーキャリア及び新しいキャリアタイプ情報のすべてが、例えば、ＰＢＣＨ及びｅ−ＰＢＣＨ、送信されるはずである。前述したように、ＵＥ  ３（レガシーＵＥ）は、セル１及びセル２からＰＳＳ／ＳＳＳ／ＣＲＳ信号を受信し、ここでセル１は、ＵＥ１のためのサービングセルとしてオン状態であり、Ａ−ＲＡＮ  ＩＤ＝１を利用する（１６２０、１６２２）。前記セル２は、ＵＥ２のためのサービングセルとしてオン状態であり、Ａ−ＲＡＮ  ＩＤ＝１を利用する。その後、ＵＥ  ３は、セル１からＡ−ＲＡＮ  ＩＤ＝１を有したＭＩＢ／ＳＩＢを含むＰＢＣＨを受信し（１６３０、１６３２）、前記ＵＥ２（改善されたＵＥ）は、前記セル２からＡ−ＲＡＮ  ＩＤ＝１を有したＭＩＢ／ＳＩＢを含むＰＢＣＨを受信する（１６４０、１６４２）。その後、前記ＵＥは、前記セル１を選択してＡ−ＲＡＮ  ＩＤ＝１を有したＲＡＣＨ過程を行い、ＲＡＲ／ＣＲＳを受信し（１６５０、１６５２）、Ｍｓｇ３を送信した後にデータ送信を受信する（１６５４、１６５６）。
【０１６９】
セルタイプマルチプレックス（Ｍｕｌｔｉｐｌｅｘｉｎｇ）が支援されうる。ＦＤＭまたはＴＤＭ方式による一つのセルまたはキャリアですべてのキャリアタイプを効果的に活性化させるために、レガシーＵＥ及び改善されたＵＥを支援するさらに他の方式が考慮される。ＴＤＭ接近方法を取る観点において、以下のような複数の方法が有用である。
【０１７０】
改善されたＵＥに対してｅＰＤＣＣＨ集合が使用される。前記ＵＥは、ｅＰＤＣＣＨモニターリングサブフレームが新しいキャリアタイプ（例えば、ｎｏ  ＣＲＳ、ｎｏ  ＰＤＣＣＨ等）に基盤したものと仮定するはずである。したがって、レガシーＵＥに対しては、そういうサブフレームがｅＰＤＣＣＨモニターリングサブフレームに使用されえない。さらに具体的には、前記ｅＰＤＣＣＨ集合に対する開始ＯＦＤＭシンボルが０にセットされた場合、ＵＥは、前記ｅＰＤＣＣＨモニターリングサブフレームが新しいキャリアタイプに基盤したものと仮定するはずで、他の場合は、レガシーキャリアタイプで仮定するはずである。前記ｅＰＤＣＣＨモニターリングサブフレームが設定されると、改善されたＵＥは、レガシーＰＤＣＣＨ及びＰＢＣＨによるシステム情報を獲得するはずである。
【０１７１】
新しいキャリアタイプサブフレームのための分離されたサブフレーム設定が適用されうる。仮に、新しいキャリアタイプのために設定されたサブフレームが存在し、しかしながら、まだｅＰＤＣＣＨモニターリングサブフレームのために設定されない場合、ｅＰＤＣＣＨモニターリングサブフレーム設定がそのように設定されなかったとしても、ＵＥは、サブフレームがＭＢＳＦＮサブフレームのために使用されるか、またはｅＰＤＣＣＨモニターリングサブフレームとして使用されると仮定するはずである。
【０１７２】
ＮＣＴサブフレームが指示により適用される。指示が活性化される場合、例えば、ＴＤＭ新しいキャリアタイプ指示、ＵＥは、システム情報を運ぶサブフレームまたは予め固定されたサブフレームの集合を除いたすべてのサブフレームが新しいキャリアタイプに基盤したものと仮定するはずである。例えば、予め固定されたサブフレームの集合は、各々の無線フレーム内で＃０／＃５または各々の無線フレーム内で＃０を含み、毎４０ｍｓｅｃごとにの＃５／＃２５を含むことができる。このような指示が活性化されない場合、ＵＥは、すべてのサブフレームがレガシーキャリアタイプであると仮定するはずである。
【０１７３】
指示ビットを有したｅＰＤＣＣＨ集合設定が使用される。各々のｅＰＤＣＣＨ集合の基盤になるキャリアタイプは、指示ビットがｅＰＤＣＣＨ集合別に設定されて個別的に設定されうる。例えば、指示が活性化されると、前記ｅＰＤＣＣＨ集合モニターリングサブフレームは、新しいキャリアタイプに基盤するようになる。前記ＵＥは、新しいキャリアタイプに設定されたｅＰＤＣＣＨ集合のｅＰＤＣＣＨモニターリングサブフレームが新しいキャリアタイプに基盤し、他のサブフレームがレガシーキャリアタイプに基盤したものと仮定するはずである。
【０１７４】
ｅＰＤＣＣＨ集合別に分離されたサブフレーム設定が使用される。さらに他の接近方式は、ｅＰＤＣＣＨ集合別に新しいキャリアタイプに基づいた分離されたサブフレームのリストを設定することである。前記ｅＰＤＣＣＨ集合モニターリングサブフレームが設定された場合、すべての設定に属したサブフレームは新しいキャリアタイプのサブフレームと見なされ、他のサブフレームは、レガシーキャリアタイプのサブフレームと見なされる。前記ｅＰＤＣＣＨ集合別に分離された設定は、各々のｅＰＤＣＣＨ集合が互いに異なる送信ポイント（例えば、ＤＰＳ）により送信されるＴＭ１０シナリオでより意味がありうる。
【０１７５】
ＴＤＭ−ｅｄＬＣＴ及びＮＣＴサブフレーム（ｉｎ  ＦＤＤ）においてレガシーＵＥ及び改善されたＵＥに対するハンドリングの例示が図１７に示される。
【０１７６】
ＮＣＴビットマップがＵＥのためにＬＣＴ及びＮＣＴサブフレームを指示するのに使用され、前記ＵＥは、ｅＰＤＣＣＨを運ぶＮＣＴサブフレーム及びＰＤＳＣＨ／ＰＤＣＣＨを運ぶＬＣＴサブフレームを認識できる。ここで、前記ビットマップが００１１１００１１１．．．．００１１１と表され、前記０は、ＬＣＴサブフレームを指示し、前記１はＮＣＴサブフレームを指示する。このような例示において、前記ＬＣＴ及びＮＣＴサブフレームは、００１１１のパターンを有し、前記ＵＥは、ＲＲＣ設定を介して００１１１を有したＮＣＴビットマップパターンを受信することができる。他のシグナリングもまた、ＵＥのために前記ＮＣＴビットマップパターンを指示するのに適用されうる。
【０１７７】
さらに、スモールセルでのＭＢＳＦＮ改善及び／またはＮＣＴが以下に述べられる。ＭＢＳＦＮ循環シフト（ｃｙｃｌｉｃ  ｓｈｉｆｔ）は、拡張ＣＰ、ノーマルＣＰ及びショート（ｓｈｏｒｔ）ＣＰとして使用されることができ、前記ショートＣＰは、現在標準に定義されているノーマルＣＰより小さくありうる。ＭＢＭＳが設定されると、どのようなＣＰが使用されるかが設定されうる。または、スモールセルまたはマクロセルのようなセルタイプに依存して、前記ＣＰが選択されうる。基地局（ｅＮＢ）により指示されるスモールセルにおいて、ＵＥはノーマルＣＰまたはショートＣＰが使用されると仮定することができる。ＭＢＳＦＮ  ＲＳ密度、特に低速ＵＥのために、または室内の場合、前記ＲＳ密度は減少できる。
【０１７８】
新しいＭＢＳＦＮ  ＲＳパターンが予め固定されたタイプとして導入されうる。このような例示が図１８に示される。密度を減少させるいかなる他のＲＳパターンが周波数領域または時間領域で考慮されうる。前記パターン、または使用される密度または前記使用されるパターンに対するインデックスを含んだ上位階層設定がＭＢＭＳ設定またはＲＲＣシグナリングを介してＵＥにシグナリングできる。
【０１７９】
ＲＲＭ／ＲＬＭ分離を介したＡ−ＲＡＮがさらに具体的に説明される。
【０１８０】
図１９は、どのように物理的セル及び仮想的セルが構成されることができるかを示す。
【０１８１】
仮想セル１は、セル１、セル３及び隣接したセル２及びセル４を含み、仮想セル２は、セル２、セル４及び隣接したセル５及びセル７を含み、仮想セル３は、セル６、セル８及び隣接したセル５及びセル７を含む。前記ＵＥは、該当仮想セル及びこれに属したセル間の情報を含むＳＣｅｌｌまたはＲＲＣ設定により設定されうる。各々のセルは、自身の物理的セルＩＤに基づいてディスカバリー信号を送信し、前記仮想セルＩＤに基づいてデータ／制御を送信できる。
【０１８２】
ディスカバリー信号及びデータ送信の一例が図２０に示される。図２０は、本発明が適用されることができる多重仮想セル上でのＰＤＣＣＨ／ＰＤＳＣＨ送信の一例を示す。
【０１８３】
物理的セルであるセル２からのＰＤＣＣＨ／ＰＤＳＣＨ送信の一例は、仮想セル１に対してＵＥ１を支援し仮想セル２のためにＵＥ２を支援するために説明されることである。一つのサブフレームまたは多重サブフレームにおいて、ディスカバリー信号の集合が各々の物理的セルから送信されうる（例えば、セル１からセル８への物理的セルＩＤでスクランブリングされうるディスカバリー信号に基づいたＣＳＩ−ＲＳ）。ディスカバリー信号に基づいて各々のＵＥは、ＲＳＲＰ及び／またはＲＳＲＱのような無線資源モニターリング測定を行うことができる。前記ＲＲＭ結果に基づいて、サービングセルまたはＵＥは、セル選択のための最善の候補セルを選択する。ＵＥまたはサービングセルから関連した要請またはウエイク−アップ（ｗａｋｅ−ｕｐ）を受信すると、前記候補セルは、ターゲットＵＥのための仮想セルＩＤを決定し、ＳＩＢ及び前記選択された仮想セルＩＤに基づいた必要な情報の送信を始める。前記選択された仮想セルＩＤは、上位階層シグナリングまたはＭＩＢまたはＳＩＢ送信を介してＵＥに知らせなければならない。
【０１８４】
例えば、ＵＥが仮想セル機能を行うＳＣｅｌｌで設定された場合、ＰＣｅｌｌは、上位階層シグナリングを介してディスカバリー信号セルＩＤの物理的セルＩＤ及び仮想セルＩＤ間の関係をシグナリングできる。ＵＥが前記仮想セルＩＤで設定されると、ＵＥは、ディスカバリー信号ＩＤよりは前記仮想セルＩＤに基づいて必要なＲＬＭ、ＣＳＩフィードバック、他のものを行うはずである。さらに他の接近方式は、仮想セルＩＤを生成し、物理的セルＩＤ及びユーザＩＤを使用することである。ここで、前記ユーザＩＤの一例は、サービングセルにより与えられるＣ−ＲＮＴＩでありうる。
【０１８５】
物理的セルＩＤ及びユーザＩＤの関数として導出される関数は、ｆ∈［０，５０３］という関数出力値を出力する。前記値の範囲は、物理的セルＩＤ及び仮想セルＩＤ間の一抹の混同を避けるために、［５０４，ｘ］のような物理的セルＩＤの外側に変更できる。またはディスカバリー信号は、現在物理的セルＩＤの外側である仮想セルＩＤでスクランブリングされたことができ、データ送信及び他の制御信号送信は、５０４個のセルＩＤに基づいてなされうる。ＵＥがいかなるサービングセルも有してない場合、ＵＥは、セルＩＤを獲得するために、ＰＢＣＨまたはＳＩＢ送信に基づいて、前記セルを読んだり検出できる。または、ＵＥは予め決定された規則に従う仮想セルＩＤを決定する。
【０１８６】
一旦、前記ＵＥがすべての必要な情報を獲得すると、ＵＥは、セル連係（ａｓｓｏｃｉａｔｉｏｎ）を始める（ｉｎｉｔｉａｔｅｓ）。見られた例示は、前記セル連係が完了した以後のＰＤＣＣＨ／ＰＤＳＣＨ送信を説明する。セル２がＵＥ１及びＵＥ２各々のためにＶＣ１及びＶＣ２という二つの仮想セルを支援することによって、セル２は、互いに異なるセルＩＤ（ＶＣ１及びＶＣ２に基づいてＵＥ１及びＵＥ２のためにＰＤＣＣＨ／ＰＤＳＣＨｓを送信する必要性がある。ＵＥがｅＰＤＣＣＨの代りにＰＤＣＣＨまたはｅＰＤＣＣＨに追加にＰＤＣＣＨを受信することを仮定すると、前記ＶＣ１及びＶＣ２のそれぞれに基づいて二つのＣＲＳを送信する必要性もある。
【０１８７】
物理的セルが多重仮想セルを動作させるために、ＵＥは物理的及び仮想的セル間の関係に対してお知らせを受けなければならない必要がある。結局、前記関係に対してＵＥに知らせるためのメカニズムを決定する２通りの場合がありうる。
【０１８８】
第１番目の場合は、ＵＥが初期接続動作としてネットワークの支援無しで初期接続を介してセルに接近する場合で、他の場合は、ＵＥがネットワーク支援動作としてネットワーク支援を有してハンドオーバ、ＳＣｅｌｌまたは二重接続（ｄｕａｌ  ｃｏｎｎｅｃｔｉｖｉｔｙ）を介してセルに接近する場合である。
【０１８９】
既接近動作が支援される場合、物理的及び仮想的セル間の関係を指示するためのネットワーク支援シグナリングを仮定することが容易にならない場合がありうる。したがって、ＵＥが前記関係を類推するようにするメカニズムが必要でありうる。または、本発明で提案されるコンセプトがＲＲＣ＿ＩＤＬＥモードでＵＥに適用されないことが仮定できる。ＵＥがディスカバリー信号及びＣＲＳ及びＤＭ−ＲＳのような他の信号に対して使用される物理的セルＩＤ及び仮想的セルＩＤ間の関係を類推する一つのメカニズムは、物理的セルを形成する物理的セルＩＤに基づいて仮想的セルＩＤを生成することである。
【０１９０】
例えば、一つの方式は、仮想的セルを形成できる最大３個の物理的セルを仮定して、仮想的セルＩＤが３個の物理的セルＩＤと関連した関数（ａ  ｆｕｎｃｔｉｏｎ  ｏｆ  ｃｏｎｃａｔｅｎａｔｉｏｎ）として決定されるとき、ＶＣ＿ＩＤ＝［ｘ１］［ｘ２］［ｘ３］を使用することである。したがって、仮想的セルＩＤを読むことにより、ＵＥは、ＵＥが関連されることのできる最大３個の物理的セルを発見する。前記物理的セルＩＤは、３個の連係（ｃｏｎｃａｔｅｎａｔｉｏｎ）により決定され、仮想的セルＩＤの範囲は［０，１６８］でありうる。
【０１９１】
ハンドオーバ、ＳＣｅｌｌ設定、二重接続のようなネットワーク支援動作が支援される場合、仮想セル及び物理的セル間の関係、またはサービングセルのためにＲＲＭに利用されるセルＩＤ及びＲＬＭに利用されるセルＩＤ間の関係はネットワークによりシグナリングされることができる。ハンドオーバ、ＳＣｅｌｌ設定または基地局（ｅＮＢ）を支援するための設定のような動作が発生する場合、前記情報は、前記設定で伝播されて、ＵＥは、ＲＲＭ及びＲＬＭの各々に使用されるセルＩＤを知るようになる。
【０１９２】
物理的セルから多重仮想的セルのための多重ＣＲＳ送信を送信する方法は、以下のとおりである。物理的セルが多重仮想的セルに参加する場合、物理的セルは、ＣＲＳが各々の仮想的セルに省略できない場合、各々の仮想的セル別に多重ＣＲＳを送信しなければならない場合もある。例えば、物理的セルは３個の仮想セルの部分になることできると仮定し、前記３個の仮想セルは、仮想セル１、仮想セル２及び仮想セル３と呼ぶ。すると、前記セルは、３個の互いに異なるセルＩＤを有したＣＲＳを送信する。ＵＥは、特にデータとマルチプレックスされるただ一つのＣＲＳを受信することを期待し、さらにハンドリングが必要な互いに異なるセルＩＤを有した多重ＣＲＳを送信するように期待される。
【０１９３】
いくつかの接近方式が考慮されうる。第１番目に、いかなるＰＤＳＣＨ及びＣＲＳのマルチプレックスが適用されず、一つの簡単な方式は、ＣＲＳが送信されるＰＲＢ及び／またはサブフレームを割り当て／専用化（ｄｅｄｉｃａｔｅ）することで、ＵＥは、データがＣＲＳが送信される所から送信されないと仮定することができる。ＣＲＳレートマッチング（ｒａｔｅ  ｍａｔｃｈｉｎｇ）のために、さらに他のオプションは、ＵＥがレート−マッチングされるＣＲＳのＲＥの集合で設定されるものだ。
【０１９４】
一つの接近方式は、データがｒａｔｅ−ｍａｔｃｈｅｄ  ａｒｏｕｎｄでセルＩＤの集合またはＣＲＳ資源設定を設定することである。一つの例示は、物理的セルが参加している仮想的セルに対するセルＩＤの集合を設定することである。周波数／時間／空間に与えられた資源でただ一つのＣＲＳ送信が支援される。これは現在の方式と似ており、ＵＥはデータ及びＣＲＳがマルチプレックスされる時、ただ一つのＣＲＳが送信されることを仮定する。これを実現する一つの方式は、ＴＤＭ及び／またはＦＤＭを仮想セル間に行うことである。
【０１９５】
例えば、仮想セル１は、毎無線フレーム中心の６ＰＲＢのサブフレーム＃０においてＣＲＳを送信し、仮想セル２は、毎無線フレーム中心の６ＰＲＢのサブフレーム＃１においてＣＲＳを送信するなどの方式である。ＣＲＳが送信されるサブフレームインデックスは、仮想セルＩＤと関連されうる。周波数の観点において、ＣＲＳは、全体サブフレームまたはＰＲＢの集合の部分上において送信されうる。ＣＲＳが仮想セル別に送信される時間及び／または周波数を指示することが考慮されえ、それは予め決定された規則に従うことができる。
【０１９６】
各々の仮想セルのための制限された測定サブフレーム集合の互いに異なる集合が設定され、設定され制限された測定サブフレームでＣＲＳは送信される。さらに他の方式は、各々の仮想セル別に互いに異なって設定されうる制限された測定集合サブフレームだけでＣＲＳを送信することである。これは、与えられた資源でのＣＲＳ送信と似ており、ＵＥは、そのサブフレームで一つの仮想セルＵＤを有した一つのＣＲＳだけが送信されると仮定しうる。制限された測定サブフレーム集合で設定されないサブフレームにおいて、互いに異なる仮想セルＩＤでスクランブリングされたＣＲＳが送信されうる。そのサブフレームでデータが送信される場合、ＵＥは、ＣＲＳが送信されないと仮定するはずである。
【０１９７】
しかしながら、ＵＥは、上位階層によりＣＲＳ  ＩＣを行うためのセルＩＤで設定されるか、またはＵＥは、自動的にＣＲＳ  ＩＣを行うことができる。したがって、そのサブフレームでの実際送信の観点において、ＰＤＳＣＨ及びＣＲＳの重複（ｓｕｐｅｒｐｏｓｉｔｉｏｎ）が行われ送信される。
【０１９８】
図２１は、本発明が適用されうる多重仮想セル上においてＰＤＣＣＨ／ＰＤＳＣＨを送信する一例を示す。
【０１９９】
各々の仮想セルのための制限された測定サブフレームにおいて、前記仮想セルＩＤでスクランブリングされたＣＲＳは、マルチプレックスされるか、またはデータ送信と重ならないだろう。他のＣＲＳ送信は、データ送信と組み合わせられうる。代案として、ＣＲＳは、制限された測定集合で設定されたサブフレームにおいてのみ送信されうる。このような場合、例えば、ディスカバリーサブフレーム及び図２１に示す最後のサブフレームは、ＣＲＳを送信しない場合もあるが、そういうサブフレームは、いかなる仮想セルに対しても制限された測定サブフレーム集合の一つとして設定されなかったためである。このような場合、制御チャネルは、ＰＤＣＣＨ復調のためのＣＲＳの不足に起因して、但しｅＰＤＣＣＨに基盤したものでありうる。
【０２００】
各々の仮想セルに対する前記制限された測定サブフレームと関連したオプションが使用される場合、ＵＥは、その設定されたサブフレーム上おいてのみＲＬＭを行うことができる。このような場合、ＵＥは、ＲＬＭ過程と分離されたディスカバリー信号に基づいてＲＲＭを行うことができる。各々の仮想セルに対する前記制限された測定サブフレームを有したオプションが使用される場合、ＣＲＳ及びＰＤＣＣＨ間のマルチプレックスまたは重複の観点において、データ及びＣＲＳに使用される同じ原則が使用される。
【０２０１】
言い換えれば、ＵＥは、前記仮想セルに対するＣＲＳに使用されないＲＥ及びＰＣＦＩＣＨ、ＰＨＩＣＨのための他の必要なＲＥがＰＤＣＣＨ送信のために使用されると仮定しうる。さらに他の仮想セルのためのＣＲＳは、ｒａｔｅ−ｍａｔｃｈｅｄ  ａｒｏｕｎｄと仮定されない場合がある。さらに他の仮想セルに対するＰＤＣＣＨ及びＣＲＳは、重複方式で送信されえ、ＵＥは、さらに他の仮想セルに対するＣＲＳを取消した後、成功的にＰＤＣＣＨを読みうる。すなわち、ＵＥ側面から、サービング仮想セルでない仮想セルは、周辺セルまたは干渉セルとして取り扱われうる。
【０２０２】
図２２は、本発明が適用されうる互いに異なるカバレッジを有する多重仮想セルの例示を示す。
【０２０３】
物理的セルにより多重仮想セルを支援する例示は、多重ユーザ及び／または他のアプリケーションＱｏＳがセルにより支援されなければならない使用ケースでありうる。物理的セル１は、ＨＤビデオアプリケーションを実行させて低移動性を有した高データスループットを有するＵＥ１、中間／低移動性を有してＶｏＩＰを実行させるＵＥ２及びＵＥ２とは遠く離れており、カバレッジ内でさらに他のセルを発見できなくて接続を許すために、セル拡張が必要なＵＥ  ３をサービングする。このような場合、前記物理的セルは、送信電力、ビーム（ｂｅａｍ）、繰り返しないし他の方式を介したカバレッジ拡張方式、支援されるデータレートなどのような互いに異なる特性を有する３個の互いに異なる仮想セルを運用する。
【０２０４】
例えば、ＶＣ１は、低最大電力を有して高データレートを支援する。したがって、ＣＲＳ上の送信電力が制限されるはずである。ＶＣ２は、ビームフォーミング（ｂｅａｍ  ｆｏｒｍｉｎｇ）をするための相対的に中間／低データレートを支援する。したがって、ＣＲＳ上の送信は目標とする特定ユーザでプレコードされる（ｐｒｅｃｏｄｅｄ）であろう。ＶＣ３は、カバレッジ拡張で低データレートを支援する。したがって、繰り返しのようなカバレッジ拡張技術が使用されうる。互いに異なるデータレートを許容するために、ＲＬＭのための互いに異なる制限された測定集合の設定が設定されうる。
【０２０５】
例えば、ＶＣ１は、無線フレーム別に多重サブフレームを送信するから、測定のために設定された集合内で多くのサブフレームを有する。ＶＣ２及びＶＣ３は、互いに異なるサブフレーム設定を有することができ、例示として、ＶＣ３は、一つのサンプルとしてＲＬＭ測定に使用されるサブフレームのサブセットを有する。例えば、５ｄＢカバレッジ拡張を支援するために、５回の繰り返しが仮定される。このような場合、ＲＬＭは、一つのサンプルを有するために、５個のサブフレームに対して行われうる（例えば、５個のサブフレームの間のＲＳ送信に対する蓄積（ａｃｃｕｍｕｌａｔｉｏｎ））。したがって、ＲＬＭ測定集合の設定がそういう側面を考慮しなければならない。例えば、ＶＣ１は、一つのサブフレームに属する１０個のサブ−サブフレームのフレーム構造を利用し、ＶＣ２は、サブフレーム構造を利用し、ＶＣ３は、送信単位として使用される１個の無線フレームをス−パ−サブフレームとして使用する。互いに異なる仮想セルをマルチプレックスするための一つの簡単な方式は、ＴＤＭ及び／またはＦＤＭを使用することである。
【０２０６】
互いに異なる電力が同じフレーム構造に使用される場合、ＵＥは、干渉除去（ｃａｎｃｅｌｌａｔｉｏｎ  ｏｆ  ｉｎｔｅｒｆｅｒｅｎｃｅ）を介してＲＳ／データを成功裏にデコードでき、互いに異なる仮想セルからのＲＳがＵＥへのデータと重なる時に電力制御を適切に調節できる。非サービング−仮想セルとしての仮想セルからのＲＳ／データを成功的に取消すために、ＵＥは、セルＩＤ及び／またはＲＳ設定及び／またはＲＳ送信電力及び／またはデータ取消支援情報を上位−階層シグナリングを介して設定されうる。
【０２０７】
図２３は、本発明の一実施の形態にかかる無線通信システムを示す。
【０２０８】
基地局２３５０は、プロセッサ２３５１、メモリ２３５２及びＲＦ部（ｒａｄｉｏ  ｆｒｅｑｕｅｎｃｙ）２３５３を備える。メモリ２３５２は、プロセッサ２３５１に接続され、プロセッサ２３５１を駆動するための多様な情報を格納する。ＲＦ部２３５３は、プロセッサ２３５１に接続され、無線信号を送信及び／または受信する。プロセッサ２３５１は、提案された機能、過程及び／または方法を具現する。図１ないし図２２に開示される実施の形態において基地局の動作は、プロセッサ２３５１により具現化されうる。
【０２０９】
特に、前記プロセッサ２３５１は、互いに異なる周波数を有した一つ以上のセルを設定できる。本発明において、前記プロセッサ２３５１は、半永続的（Ｓｅｍｉ−Ｐｅｒｓｉｓｔｅｎｔ）スケジューリング、ＴＴＩ−バンドリング（ＴＴＩ−ｂｕｎｄｌｉｎｇ）、ＨＡＲＱ−ＡＣＫ仮定を支援するために前記セルを設定する。前記プロセッサ２３５１は、仮想セルグループを含む設定を設定し送信でき、前記仮想セルグループの各々は、同じ仮想セルＩＤ（ｉｄｅｎｔｉｆｉｃａｔｉｏｎ）を共有する二つ以上のサービングセルを含む。
【０２１０】
また、前記プロセッサ２３５１は、前記同じ仮想セルＩＤでスクランブリングされたディスカバリー信号、及びＰＲＡＣＨ（Ｐｈｙｓｉｃａｌ  Ｒａｎｄｏｍ  Ａｃｃｅｓｓ  Ｃｈａｎｎｅｌ）設定を含むシステム情報を前記仮想セルグループの各々のマスターセルを介して設定し送信できる。
【０２１１】
前記プロセッサ２３５１は、プライマリセル（Ｐｃｅｌｌ：ｐｒｉｍａｒｙ  ｃｅｌｌ）からのサービングセル（Ｓｃｅｌｌ）設定、ハンドオーバ設定、二重−接続設定、ＴＭ（Ｔｒａｎｓｍｉｓｓｉｏｎ  Ｍｏｄｅ）設定または無線資源制御設定（ｒａｄｉｏ  ｒｅｓｏｕｒｃｅ  ｃｏｎｔｒｏｌ、ＲＲＣ）を利用して前記設定を設定し送信できる。
【０２１２】
また、前記プロセッサ２３５１は、前記設定がディスカバリー信号に対する同じ仮想セルＩＤ及び前記同じ仮想セルＩＤを共有する仮想セルグループ内のサービングセルの物理的セルＩＤ間の少なくとも二つ以上の集合関係、前記仮想セルグループのサブフレーム集合、前記仮想セルグループの各々の多重サブフレーム集合及び前記仮想セルグループの各々内の前記サービングセルから送信される前記ディスカバリー信号の集合のうち、少なくとも一つ、前記同一仮想セルグループの各々に関連した周波数ホッピングパターンを含むように設定できる。
【０２１３】
そして、前記プロセッサ２３５１はまた、前記仮想セルＩＤの各々によるＣＲＳパターンを設定でき、前記ＣＲＳパターンは、開始サブフレーム、サブフレーム集合、及び無線フレームでの前記ＣＲＳのＲＢを含む。
【０２１４】
そして、前記プロセッサ２３５１はまた、各々の仮想セルグループに対する前記制限された測定サブフレーム集合が使用され、各々の仮想セルグループに対する測定サブフレーム集合が使用されるように選択的に設定できる。これは、前記プロセッサ２３５１がセルＩＤの目録及び／またはＲＳ設定及び／またはＲＳ送信電力及び／または前記仮想セルＩＤ（グループとして）に対したデータ取消支援情報を上位階層シグナリングにより設定することを含む。
【０２１５】
無線機器２３６０は、プロセッサ２３６１、メモリ２３６２及びＲＦ部２３６３を備える。メモリ２３６３はプロセッサ２３６１に接続され、プロセッサ２３６１を駆動するための多様な情報を格納する。ＲＦ部２３６３は、プロセッサ２３６１に接続され、無線信号を送信及び／または受信する。プロセッサ２３６１は、提案された機能、過程及び／または方法を具現する。図１ないし図２２の実施の形態において、前記ＵＥの動作は、プロセッサ２３６１により具現化されることができる。
【０２１６】
特に、前記プロセッサ２３６１は、互いに異なる周波数を有した一つ以上のセルを設定できる。本発明において、前記プロセッサ２３６１は、半永続的（Ｓｅｍｉ−Ｐｅｒｓｉｓｔｅｎｔ）スケジューリング、ＴＴＩ−バンドリング（ＴＴＩ−ｂｕｎｄｌｉｎｇ）、ＨＡＲＱ−ＡＣＫ仮定を支援するために、前記セルを設定する。前記プロセッサ２３５１は、仮想セルグループを含む設定を受信し設定でき、前記仮想セルグループの各々は、同じ仮想セルＩＤ（ｉｄｅｎｔｉｆｉｃａｔｉｏｎ）を共有する二つ以上のサービングセルを含む。
【０２１７】
また、前記プロセッサ２３６１は、前記同じ仮想セルＩＤでスクランブリングされたディスカバリー信号及びＰＲＡＣＨ（Ｐｈｙｓｉｃａｌ  Ｒａｎｄｏｍ  Ａｃｃｅｓｓ  Ｃｈａｎｎｅｌ）設定を含むシステム情報を前記仮想セルグループの各々のマスターセルを介して設定し受信することができる。その後、前記プロセッサ２３６１は、ＲＡＣＨ過程及びデータ送信を前記ＵＥと関連した仮想セルＩＤを利用することにより、前記選択されたセルを介して行うことができる。
【０２１８】
前記プロセッサ２３６１は、プライマリセル（Ｐｃｅｌｌ：ｐｒｉｍａｒｙ  ｃｅｌｌ）からのサービングセル（Ｓｃｅｌｌ）設定、ハンドオーバ設定、二重−接続設定、ＴＭ（Ｔｒａｎｓｍｉｓｓｉｏｎ  Ｍｏｄｅ）設定または無線資源制御設定（ｒａｄｉｏ  ｒｅｓｏｕｒｃｅ  ｃｏｎｔｒｏｌ、ＲＲＣ）を利用して、前記設定を設定し受信することができる。
【０２１９】
また、前記プロセッサ２３６１は、前記設定がディスカバリー信号に対する同じ仮想セルＩＤ及び前記同じ仮想セルＩＤを共有する仮想セルグループ内のサービングセルの物理的セルＩＤ間の少なくとも二つ以上の集合関係、前記仮想セルグループのサブフレーム集合、前記仮想セルグループの各々の多重サブフレーム集合及び前記仮想セルグループの各々内の前記サービングセルから送信される前記ディスカバリー信号の集合のうち、少なくとも一つ、前記同一仮想セルグループの各々に関連した周波数ホッピングパターンを含むように設定できる。
【０２２０】
そして、前記プロセッサ２３６１はまた、前記仮想セルＩＤの各々によるＣＲＳパターンを設定でき、前記ＣＲＳパターンは、開始サブフレーム、サブフレーム集合、及び無線フレームでの前記ＣＲＳのＲＢを含む。
【０２２１】
そして、前記プロセッサ２３６１は、また各々の仮想セルグループに対する前記制限された測定サブフレーム集合が使用され、各々の仮想セルグループに対する測定サブフレーム集合が使用されるように選択的に設定できる。これは、前記プロセッサ２３５１がセルＩＤの目録及び／またはＲＳ設定及び／またはＲＳ送信電力及び／または前記仮想セルＩＤ（グループとして）に対したデータ取消支援情報を上位階層シグナリングにより設定することを含む。
【０２２２】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を備えることができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を備えることができる。ＲＦ部は、無線信号を処理するためのベースバンド回路を含みうる。実施の形態がソフトウェアにより具現化されるとき、上述した技法は上述した機能を行うモジュール（過程、機能など）で具現化されうる。モジュールは、メモリに格納され、プロセッサにより実行されうる。メモリは、プロセッサ内部または外部にありえ、周知の多様な手段でプロセッサに接続されうる。
【０２２３】
上述した例示的なシステムにおいて、方法らは、一連のステップまたはブロックとしてフローチャートに基づいて述べられているが、本発明は、ステップの順序に限定されるものではなく、あるステップは、上述したことと異なるステップと異なる順序で、または同時に発生できる。また、当業者であれば、フローチャートに示したステップが履排他的でなく、他のステップが含まれるか、またはフローチャートの一つまたはそれ以上のステップが本発明の範囲に影響を及ぼさないで削除されうることを理解することができるはずである。
【図１】
0006262772.tif 000010
【図２】
0006262772.tif 000011
【図３】
0006262772.tif 000012
【図４】
0006262772.tif 000013
【図５】
0006262772.tif 000014
【図６】
0006262772.tif 000015
【図７】
0006262772.tif 000016
【図８】
0006262772.tif 000017
【図９】
0006262772.tif 000018
【図１０】
0006262772.tif 000019
【図１１】
0006262772.tif 000020
【図１２】
0006262772.tif 000021
【図１３】
0006262772.tif 000022
【図１４】
0006262772.tif 000023
【図１５】
0006262772.tif 000024
【図１６】
0006262772.tif 000025
【図１７】
0006262772.tif 000026
【図１８】
0006262772.tif 000027
【図１９】
0006262772.tif 000028
【図２０】
0006262772.tif 000029
【図２１】
0006262772.tif 000030
【図２２】
0006262772.tif 000031
【図２３】
0006262772.tif 000032